(57)【要約】【課題】遊技機に対する不正に迅速、適切に対処することができる技術を提供する。【解決手段】夜間監視制御基板１８０に配設されている夜間監視制御回路１８１は、電源回路からの電源の供給が停止している時に、第１の開閉部材あるいは第２の開閉部材が開状態になると開放情報を記憶する。そして、電源回路からの電源の供給が開始されると、記憶している開放情報を出力する。夜間監視制御回路１８１から開放情報が出力されると、スピーカ１６４、ランプ１６５、装飾図柄表示装置１６２の少なくとも１つが、対応する報知態様で動作する。【選択図】図２
2008142135.tif 000002
【特許請求の範囲】
【請求項１】
外枠と、前記外枠に対して開閉可能な内枠と、前記内枠に対して開閉可能なガラス扉とを備える遊技機であって、
前記外枠に対する前記内枠の開閉状態を示す枠開閉検出信号を出力する枠開閉検出手段と、
前記内枠に対する前記ガラス扉の開閉状態を示す扉開閉検出信号を出力する扉開閉検出手段と、
表示手段、音発生手段及び光発生手段のうちの少なくとも一つにより構成される報知手段と、
前記報知手段を制御する報知制御手段と、
電源を供給する電源供給手段と、
前記電源供給手段からの電源の供給状態を示す電源供給検出信号を出力する電源供給検出手段と、
夜間監視制御手段を備え、
前記夜間監視制御手段は、前記電源供給検出手段から出力される電源供給検出信号が電源の供給が停止されることを示している時に、前記枠開閉検出手段から出力される枠開閉検出信号が前記内枠が開状態にあることを示した場合あるいは前記扉開閉検出手段から出力される扉開閉検出信号が前記ガラス扉が開状態にあることを示した場合には、前記電源供給検出手段から出力される電源供給検出信号が電源が供給されることを示している時に、電源の供給が停止されている時に内枠あるいはガラス扉が開放されたことを示す開放信号を出力し、
前記報知制御手段は、前記夜間監視制御手段から内枠あるいはガラス扉が開放されたことを示す開放信号が出力された場合に、前記報知手段を動作させる、
ことを特徴とする遊技機。
【発明の詳細な説明】
【技術分野】
【０００１】
本発明は、パチンコ機等の遊技機に関し、特に、扉や枠等の開閉部材が開状態となったこと（開放されたこと）を報知することによって不正な遊技を防止する技術に関する。
【背景技術】
【０００２】
遊技機は、点検等を行うために、開閉可能な開閉部材を有している。例えば、パチンコ機では、外枠に対して開閉可能な内枠と、内枠に対して開閉可能なガラス扉を有している。内枠は、例えば、遊技機の裏側の状態を点検する時等に開けられる。また、ガラス扉は、遊技領域等を点検する時等に開けられる。
遊技機では、このような内枠やガラス扉が開放されて、不正な遊技が行われることがある。例えば、内枠を開け、遊技機の裏側に設けられている制御回路を不正に動作させあるいは不正な制御回路に取り替えることによって不正に遊技球を獲得する不正な遊技、また、ガラス扉を開け、遊技領域に設けられている始動口や入賞口に不正に遊技媒体を投入することによって不正に遊技球を獲得する不正な遊技が行われることがある。このため、遊技機の内枠やガラス扉が開放されたことを監視する必要がある。
従来、遊技機の内枠あるいはガラス扉が開放されたことを監視する技術が、特開平６−３１５５６４号公報（特許文献１参照）に記載されている。特開平６−３１５５６４号公報に記載の技術は、外枠に対する内枠の開閉状態を検出する枠開閉検出器、内枠に対するガラス扉の開閉状態を検出する扉開閉検出器を各遊技機に設け、各遊技機に設けられている枠開閉検出器や扉開閉検出器の検出信号を外部端子板を介して監視装置に出力し、監視装置は、各遊技機の外部端子板から出力された検出信号に基づいて、内枠あるいはガラス扉が開放されている遊技機を判別するものである。
【特許文献１】特開平６−３１５５６４号公報
【発明の開示】
【発明が解決しようとする課題】
【０００３】
特開平６−３１５５６４号公報に記載されている技術では、監視装置は、ガラス扉あるいは内枠が開放されている遊技機（いずれかの開閉部材が開放されている遊技機）を判別する。この場合、遊技店の係員等は、監視装置によって判別された遊技機の状態を監視カメラで撮像した画像によって、あるいは、判別された遊技機の場所まで行って直接目視することによって、当該遊技機で不正な遊技が行われている否かを判別する。
ここで、遊技機に対する不正は、遊技店の営業時間内だけでなく営業時間終了後の夜間に行われることもある。例えば、遊技店の営業時間終了後の夜間に遊技機の内枠やガラス扉を開放し、制御回路が不正な動作を行うように設定しあるいは制御回路を不正な制御回路に取り替える不正が行われる。従来の技術では、このような遊技店の営業時間終了後の夜間に遊技機に対して不正が行われたことを判別するのが困難である。また、遊技店の営業時間内において、内枠が開放されたかあるいはガラス扉が開放されたかを判別することができない。このため、遊技点の係員等は、遊技機に対する不正に迅速、適切に対処することができない。
本発明は、このような点に鑑みて創案されたものであり、遊技点の係員等が、遊技機に対する不正、好適には、遊技店の営業時間終了後の夜間における遊技機に対する不正に迅速、適切に対処することができる技術を提供することを目的とする。
【課題を解決するための手段】
【０００４】
本発明の第１発明は、請求項１に記載されたとおりの遊技機である。なお、本発明の遊技機は、好適には遊技球を用いるパチンコ機等の弾球遊技機として構成されるが、これ以外の種々の型式の遊技機として構成可能である。
本発明は、外枠と、外枠に対して開閉可能な内枠と、内枠に対して開閉可能なガラス扉を備える遊技機を対象とする。
本発明では、外枠に対する内枠の開閉状態を示す枠開閉検出信号を出力する枠開閉検出手段、内枠に対するガラス扉の開閉状態を示す扉開閉検出信号を出力する扉開閉検出手段有している。枠開閉検出手段および扉開閉検出手段は、内枠及びガラス扉の開閉状態を検出することができればよく、種々の型式の検出手段を用いることができる。例えば、機械式スイッチ等が用いられる。
また、表示手段、音発生手段及び光発生手段のうちの少なくとも一つにより構成される報知手段と、報知手段を制御する報知制御手段を有している。例えば、表示手段としては液晶表示装置が用いられ、音発生手段としてはスピーカが用いられ、光発生手段としてはＬＥＤが用いられる。報知手段および報知制御手段としては、遊技機に設けられている遊技演出用の表示手段、音発生手段、光発生手段およびこれらの手段を制御する制御手段を用いるのが好ましい。
また、遊技機の各装置に電源を供給する電源供給手段と、電源供給手段からの電源の供給状態を示す電源供給検出信号を出力する電源供給検出手段を有している。電源供給手段としては、例えば、ＡＣ２４Ｖ電源をＤＣ３４Ｖ電源やＤＣ１２Ｖ電源に変換するＡＣ／ＤＣ変換回路が用いられる。電源供給検出手段は、例えば、ＡＣ２４Ｖ電源の電圧あるいはＤＣ２４Ｖ電源やＤＣ３４Ｖ電源の電圧が立ち上がり電圧以上であることにより電源が供給されることを示す電源供給検出信号（例えば、「Ｈ」レベルの電源供給検出信号）を出力し、立ち下り電圧以下であることにより電源の供給が停止されることを示す電源供給検出信号（例えば、「Ｌ」レベルの電源供給検出信号）を出力する。立ち上がり電圧としては、例えば、各制御手段が正常に動作することができる電圧が設定され、立ち下り電圧としては、例えば、各制御手段が停電処理（例えば、電源遮断時のデータの記憶）を実行することができる電圧が設定される。立ち上がり電圧と立ち下がり電圧は、異なる値を設定することもできるし同じ値を設定することもできる。電源供給検出手段としては、典型的には、遊技機に設けられている停電検出回路が用いられる。
また、営業時間終了後の夜間における内枠やガラス扉の開放を監視する夜間監視制御手段を有している。夜間監視制御手段は、電源供給手段あるいはバックアップ電源供給手段から電源が供給されるように構成されており、電源供給手段からの電源の供給が停止する夜間にも動作可能である。バックアップ電源供給手段としては、コンデンサや電池が用いられる。夜間監視制御手段は、電源供給検出信号が電源の供給が停止されることを示している時（例えば、「Ｌ」レベルの時）に、枠開閉検出信号が内枠が開状態にあることを示した場合（内枠が開放された場合）あるいは扉開閉検出信号がガラス扉が開状態にあることを示した場合（ガラス扉が開放された場合）には、次に電源供給検出信号が電源が供給されることを示している時に、内枠あるいはガラス扉が開放されたことを示す開放信号を出力する。例えば、内枠が開放された場合に内枠開放フラグをセットしあるいはガラス扉が開放された場合にガラス扉開放フラグをセットし、その後に電源が供給された時に、内枠開放フラグあるいはガラス扉開放フラグがセットされていることを示す開放信号を出力する。
報知制御手段は、夜間監視制御手段から内枠あるいはガラス扉が開放されたことを示す開放信号が出力された場合に、報知手段を動作させる。好適には、報知制御手段は、電源供給手段から電源の供給が開始された後（例えば、電源供給検出信号が電源が供給されることを示した後）に夜間監視制御手段から開放信号が入力されるように構成される。報知制御手段は、好適には、内枠あるいはガラス扉が夜間に開状態となったこと（開放されたこと）を判別可能な報知態様で報知手段を動作させる。
本発明では、電源供給検出信号が電源供給手段からの電源の供給が停止されることを示す（電源供給手段からの電源の供給が停止される）夜間に内枠あるいはガラス扉が開状態となったこと（開放されたこと）を夜間監視制御手段が判別して記憶し、次に電源供給検出信号が電源供給手段から電源が供給されることを示した時（電源供給手段からの電源の供給が開始された時）に夜間監視制御手段から内枠あるいはガラス扉が開放されたことを示す開放信号が出力され、報知手段により報知が行われる。このため、遊技店の係員等は、遊技店の営業開始前の電源投入時に、各遊技機に設けられている報知手段による報知を確認することにより、当該遊技機の内枠あるいはガラス扉が夜間に開放されたことを容易に判別することができ、夜間に行われた遊技機に対する不正に迅速、適切に対処することができる。
【発明の効果】
【０００５】
請求項１に記載の遊技機を用いることにより、遊技店の係員等は、電源供給手段から電源が供給されていない夜間等に遊技機に対する不正が行われたことを容易に判別することができる。したがって、夜間等に行われた遊技機に対する不正に迅速、適切に対処することができる。
【発明を実施するための最良の形態】
【０００６】
以下に、本発明をパチンコ機として構成した実施の形態を、図面を参照して説明する。図１は、パチンコ機１００の全体を示す斜視図である。パチンコ機１００は、本発明の「遊技機」の一例である。
図１に示すように、パチンコ機１００は、外枠（支持部材）１０１、内枠（前面枠とも呼ばれる）（第１の開閉部材）１０２、遊技盤１０３、ガラス扉（第２の開閉部材）１０４等を主体にして構成されている。内枠１０２は、パチンコ機１００の前方（遊技者側）から見て左側縁部が、ヒンジ機構（図示省略）により外枠１０１に対して開閉可能に取り付けられている。遊技盤１０３は、内枠１０２に取り付けられている。ガラス扉１０４は、パチンコ機１００の前方から見て左側縁部が、ヒンジ機構により内枠１０２に対して開閉可能に取り付けられている。
【０００７】
なお、図１は、内枠１０２が外枠１０１に対して開いており（開状態となっており）、ガラス扉１０４が内枠１０２に対して開いている状態が示されている。
パチンコ機１００の裏側には各種の基板が基板ボックスに収容された状態で配設されている。基板としては、例えば、主制御基板、副制御基板、払出制御基板、外部端子板、電源基板等が用いられる。なお、副制御基板に表示装置の制御機能を有する制御回路が配設されていない場合には、表示制御基板が用いられる。ここで、近年、資源の有効利用が要望されている。このため、機種によって仕様が異なる可能性が高い主制御基板や副制御基板は遊技盤１０３の裏側に配設され、異なる機種に対して共通に使用可能な払出制御基板や、外部に情報を出力するための外部端子板、電源基板等は内枠１０２の裏側に配設されている。各基板をこのように配設することにより、遊技盤１０３のみを交換することで機種変更に対処することができ、内枠１０２や払出制御基板等の資源を有効に利用することができる。
【０００８】
また、内枠１０２には、外枠１０１に対する内枠１０２の開閉状態を示す枠開閉検出信号を出力する枠開閉検出器１０５、内枠１０２に対するガラス扉１０４の開閉状態を示す扉開閉検出信号を出力する扉開閉検出器１０６が取り付けられている。本実施の形態では、枠開閉検出器１０５及び扉開閉検出器１０６として、固定接点と可動接点を有するスイッチが用いられている（図１０参照）。なお、スイッチとしては、外枠１０１あるいはガラス扉１０４との当接によって可動接点が移動する機械式スイッチ等の種々のスイッチを用いることができる。
枠開閉検出器１０５は本発明の「枠開閉検出手段」に対応し、扉開閉検出器１０６は本発明の「扉開閉検出手段」に対応する。
【０００９】
第１の実施の形態の遊技機の制御系の概略ブロック図を図２に示す。
本実施の形態では、電源回路２０１（図３参照）からの電源の供給が停止される電源遮断時（夜間等）に内枠１０２あるいはガラス扉１０４が開状態となった（開放された）場合には、次に電源回路２０１から電源が供給される電源供給時に報知装置（報知手段）により報知する。また、電源回路２０１から電源が供給される電源供給時に内枠１０２あるいはガラス扉１０４が開状態となった（開放された）場合には、直ちに報知装置により報知する。また、報知装置（報知手段）として、遊技の演出を行うＬＥＤ等のランプ（光発生手段）の少なくとも一部、スピーカ（音発生手段）、装飾図柄表示装置（表示手段）の少なくとも一つ、好適には、ランプ（光発生手段）の少なくとも一部を用いている。
本実施の形態のパチンコ機の制御系は、基板と、遊技用機器と、検出器を備えている。基板としては、主制御基板１１０、中継端子板１２０、副制御基板１３０、払出制御基板１４０、外部端子板１５０等が用いられている。遊技用機器としては、特別図柄を用いて抽選結果を表示する特別図柄表示装置（特別図柄表示手段）１６１、装飾図柄を用いて演出表示等を行う装飾図柄表示装置（装飾図柄表示手段）１６２、遊技者に遊技球を払い出す払出装置（払出手段）１６３、スピーカ（音発生手段）１６４、ＬＥＤ等のランプ（光発生手段）１６５等が用いられている。検出器（検出手段）としては、遊技球が始動ゲートを通過したことあるいは始動入賞口に入球したことを検出して始動球検出信号を出力する始動球検出器（始動球検出手段）１０７、遊技球が入賞口に入球したことを検出して入賞球検出信号を出力する入賞球検出器（入賞球検出手段）１０８、前述した内枠１０２の開閉状態を示す枠開閉検出信号を出力する枠開閉検出器（枠開閉検出手段）１０５、ガラス扉１０４の開閉状態を示す扉開閉検出信号を出力する扉開閉検出器（扉開閉検出手段）１０６等が用いられている。
なお、図２には図示していないが、本実施の形態は、これ以外の種々の基板、遊技用機器、検出器が設けられている。
【００１０】
主制御基板１１０には、主制御回路（主制御手段）１１１、ＲＯＭやＲＡＭを含む記憶回路（記憶手段）１１２等が配設されている。
主制御基板１１０には、端子１１０ａ〜１１０ｈ等が設けられている。入力端子１１０ｂ、１１０ｃ、１１０ｆ、１１０ｇ、１１０ｈは、それぞれ、始動球検出器１０７、入賞球検出器１０８、払出制御基板１４０の出力端子１４０ｇ、１４０ｈ、１４０ｊに接続されている。また、出力端子１１０ａ、１１０ｄは、それぞれ、特別図柄表示装置１６１、中継端子板１２０を介して副制御基板１３０の入力端子１３０ｄに接続されている。入出力端子１１０ｅは、払出制御基板１４０の入出力端子１４０ｂに接続されている。
主制御回路１１１は、入力信号と、記憶回路１１２に書き込まれている情報（例えば、制御プログラムや各種の乱数発生プログラム等のプログラムや制御データ等の記憶情報）に基づいて主制御信号を出力する。
例えば、主制御回路１１１は、始動球検出器１０７から端子１１０ｂを介して始動球検出信号が入力されると、当たり判定用乱数を読み取り、読み取った当たり判定用乱数が当たり値と一致するか否かを判定する（抽選手段により抽選を行う）。また、変動表示時間判定用乱数を読み取る。そして、表示装置駆動信号を主制御信号として、出力端子１１０ａを介して特別図柄表示装置１６１に出力する。これにより、特別図柄表示装置１６１には、特別図柄を用いて抽選結果が表示される。例えば、当たり判定用乱数が当たり値と一致する場合（抽選結果が当たりである場合）には、特別図柄表示装置１６１には、特別図柄が、変動表示時間判定用乱数に対応する変動表示時間の間変動表示された後、当たり特別図柄が停止表示される。一方、当たり判定用乱数が当たり値と一致しない場合（抽選結果がはずれである場合）には、特別図柄表示装置１６１には、特別図柄が、変動表示時間判定用乱数に対応する変動表示時間の間変動表示された後、はずれ特別図柄が停止表示される。
特別図柄表示装置１６１としては、処理負担が軽いＬＥＤ等により構成される表示装置が用いられる。
【００１１】
また、主制御回路１１１は、抽選結果と変動表示時間（当たり判定用乱数と変動表示時間判定用乱数）を示す主コマンド信号を主制御信号として、出力端子１１０ｄを介して副制御回路１３１に出力する。
なお、コマンド信号は、共通のバスを介して伝送され、コマンド信号以外の制御信号は、専用の信号線を介して伝送される。図２では、太線がバスである。
また、主制御回路１１１は、当たり判定用乱数が当たり値と一致した場合（抽選結果が当たりである場合）には、変動表示時間経過後、大入賞口を開閉する大入賞口開閉部材を開制御する大入賞口制御信号を主制御信号として出力し、遊技者に有利な大当たり遊技状態を発生させる。同時に、大当たり遊技状態に対応する演出を行うことを指示する主コマンド信号を主制御信号として、出力端子１１０ｄを介して副制御回路１３１に出力する。大当たり遊技状態は、設定時間が経過したこと、あるいは、設定数の遊技球が大入賞口に入球したことにより終了する。
また、主制御回路１１１は、端子１１０ｃに入賞球検出信号が入力されると、所定数の遊技球を払い出すことを指示する主コマンド信号を主制御信号として、端子１１０ｅを介して払出制御回路１４１に出力する。
【００１２】
また、主制御回路１１１は、入力端子１１０ｆから入力される枠開閉検出信号、入力端子１１０ｇから入力される扉開閉検出信号、入力端子１１０ｈから入力される開放信号に基づいて、内枠１０２あるいはガラス扉１０４が開放されたことを報知させる主コマンド信号を主制御信号として、出力端子１１０ｄを介して副制御回路１３１に出力する。
例えば、入力端子１１０ｈから内枠１０２あるいはガラス扉１０４が開放されたことを示す開放信号が入力されると、電源回路２０１からの電源の供給が停止されている夜間に内枠１０２あるいはガラス扉１０４が開放されたことを示す開放報知態様開始情報を含む主コマンド信号を主制御信号として出力する。
また、入力端子１１０ｇから、ガラス扉１０４が閉状態にあることを示す扉開閉検出信号が入力されている状態（例えば、扉開閉検出信号が「Ｈ」レベルの状態）で、入力端子１１０ｆから、内枠１０２が開状態にあることを示す枠開閉検出信号が入力されると（例えば、枠開閉検出信号が「Ｈ」レベルから「Ｌ」レベルに変化するとい）、電源回路２０１から電源が供給されている時（営業時間内）に内枠１０２が開放されたことを示す内枠開放報知態様開始情報を含む主コマンド信号を主制御信号として出力する。
また、入力端子１１０ｆから、内枠１０２が閉状態にあることを示す枠開閉検出信号が入力されている状態（例えば、枠開閉検出信号が「Ｈ」レベルの状態）で、入力端子１１０ｇから、ガラス扉１０４が開状態にあることを示す扉開閉検出信号が入力されると（例えば、扉開閉検出信号が「Ｈ」レベルから「Ｌ」レベルに変化するとい）、電源回路２０１から電源が供給されている時（営業時間内）にガラス扉１０４が開放されたことを示すガラス扉開放報知態様開始情報を含む主コマンド信号を主制御信号として出力する。
また、入力端子１１０ｆから、内枠１０２が開状態にあることを示す枠開閉検出信号が入力される（例えば、枠開閉検出信号が「Ｈ」レベルから「Ｌ」レベルに変化する）とともに、入力端子１１０ｇから、ガラス扉１０４が開状態にあることを示す扉開閉検出信号が入力されると（例えば、扉開閉検出信号が「Ｈ」レベルから「Ｌ」レベルに変化するとい）、電源回路２０１から電源が供給されている時（営業時間内）に内枠１０２及びガラス扉１０４が開放されたことを示す内枠・ガラス扉開放報知態様開始情報を含む主コマンド信号を主制御信号として出力する。
【００１３】
ここで、パチンコ機のように遊技球を遊技領域に発射する弾球遊技機では、遊技領域に、遊技球の移動方向を変えるための釘が配設されている。そして、遊技領域に発射された遊技球が釘に当たることによって釘がへたると、釘によって形成されている通過間隔が狭くなり、遊技球が通り難くなる。このため、遊技球が数珠つなぎにつまることが頻繁に発生する。遊技球が遊技領域につまった場合には、遊技店の係員等は、ガラス扉１０４を開け、遊技領域につまっている遊技球を取り除く作業や釘を調整する作業等を行う。このように、営業時間中において、通常の作業の中で（不正な遊技を行うことを目的とすることなく）頻繁にガラス扉１０４が開放される。
また、島設備から遊技機への遊技球の補給系で球詰まりが発生することがある。この場合には、遊技店の係員等は、内枠１０２を開けて作業を行う。しかしながら、営業時間中において、遊技球の補給系で球詰まりが発生することは稀である。すなわち、営業時間中に内枠が開放された場合には、ガラス扉が開放された場合に比べて不正な遊技が行われる虞が非常に高い。
このため、内枠１０２が開放されていることを報知する報知態様とガラス扉１０４が開放されていることを報知する報知態様として同じ報知態様を用いると、遊技店の係員等は、不正な遊技が行われる虞が低い遊技機（ガラス扉１０４が開放されている遊技機）及び不正な遊技が行われる虞が高い遊技機（内枠１０２が開放されている遊技機）に対して、同じ注意力を持って不正な遊技が行われているか否かを判別する必要がある。この場合、遊技店の係員等の注意力が散漫となり、不正な遊技が行われていることを確実に判別することができなくなる虞がある。
したがって、電源回路２０１から電源が供給されている時に、内枠１０２が開放されていることを報知する報知態様とガラス扉１０４が開放されていることを報知する報知態様として異なる報知態様を用いるのが好ましい。
本実施の形態では、電源回路２０１から電源が供給されている時にガラス扉１０４が閉状態で内枠１０２が開状態になると内枠開放報知態様で報知を行い、内枠１０２が閉状態でガラス扉１０４が開状態になるとガラス扉開放報知態様で報知を行い、内枠１０２及びガラス扉１０４が開状態になると内枠・ガラス扉開放報知態様で報知を行うように構成されている。なお、前述したように、営業時間内では、内枠１０２が開放された場合には、ガラス扉１０４が開放された場合に比べて、不正が行われる虞が非常に高い。このため、内枠１０２とガラス扉１０４が開放された場合には、内枠開放報知態様で報知を行うように構成してもよい。
また、電源の供給が停止されている時（例えば、夜間）には、通常の作業を行うためにガラス扉１０４が開放されることはない。すなわち、電源の供給が停止されている時にガラス扉１０４が開放された場合は、遊技機に対する不正が行われる可能性が高い。したがって、電源の供給が停止されている時には、内枠１０２あるいはガラス扉１０４のいずれかが開放された場合に開放報知態様で報知を行うように構成されている。
なお、各状態における報知態様は、前記した報知態様に限定されない。例えば、各報知態様として同じ報知態様を用いることができる。
【００１４】
副制御基板１３０には、副制御回路（副制御手段）１３１、ＲＯＭやＲＡＭを含む記憶回路（記憶手段）１３２、ＶＤＰ（ビデオディスプレイプロセッサ）（画像処理手段）１３３、音源ＩＣ（音制御手段）１３４等が配設されている。
副制御基板１３０には、端子１３０ａ〜１３０ｄ等が設けられている。入力端子１３０ｄは、主制御基板１１０の出力端子１１０ｄが中継端子板１２０を介して接続されている。また、出力端子１３０ａ、１３０ｂ、１３０ｃは、それぞれ装飾図柄表示装置（装飾用図柄表示手段）１６２、スピーカ（音発生手段）１６４、ＬＥＤ等のランプ（光発生手段）１６５に接続されている。
副制御回路１３１は、主制御回路１１１から出力された主制御信号（主コマンド信号）と、記憶回路１３２に書き込まれている情報（例えば、制御プログラムや各種の乱数発生プログラム等のプログラムや制御データ等の記憶情報）に基づいて、副制御信号を出力する。
例えば、入力端子１３０ｄに入力された主コマンド信号で示される抽選結果情報が、抽選結果が当たりであることを示している場合（当たり判定用乱数が当たり値と一致する場合）には、当たり図柄用乱数を読み取るとともに、主コマンド信号で示される変動表示時間（変動表示時間判定用乱数で示される変動表示時間）に対応する当たり図柄変動パターン用乱数を読み取る。そして、読み取った当たり図柄用乱数と当たり図柄変動パターン用乱数により、装飾図柄表示装置１６２に表示する装飾図柄と変動パターンを決定する。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間に対応するはずれ図柄変動パターン用乱数を読み取る。そして、読み取ったはずれ図柄用乱数とはずれ図柄変動パターン用乱数により、装飾図柄表示装置１６２に表示する装飾図柄と変動パターンを決定する。
そして、決定した装飾図柄（当たり図柄あるいははずれ図柄）を示す図柄情報と変動パターン（当たり図柄変動パターンあるいははずれ図柄変動パターン）を装飾図柄表示装置１６２に表示させるための表示制御信号をＶＤＰ１３３に出力する。
ＶＤＰ１３３は、入力された表示制御信号に基づいて、記憶回路から装飾図柄画像情報、キャラクタ画像情報や背景画像情報等を読み出し、読み出した各画像情報を、大きさや配設位置を調整しながら合成することによって表示画面に対応するビットマップデータを作成する。そして、作成したビットマップデータに基づいて装飾図柄表示装置１６２に制御信号を出力する。
装飾図柄表示装置１６２としては、種々の演出表示を行うことができる液晶表示装置等が用いられる。
【００１５】
また、決定した変動パターンに応じた音による演出を行うために、決定した変動パターンを示す変動パターン情報を含む副コマンド信号（音コマンド信号）を副制御信号として音源ＩＣ１３４に出力する。音源ＩＣ１３４は、音制御回路と音制御用記憶回路を有しており、入力された副コマンド信号（音コマンド信号）と、音制御用記憶回路に記憶されている情報に基づいてスピーカ１６４を駆動する音制御信号を出力し、変動パターンに対応した音をスピーカ１６４から発生させる。
また、決定した変動パターンに応じた光による演出を行うために、決定した変動パターンに応じてランプ１６５を制御するランプ制御信号を出力する。
なお、装飾図柄表示装置１６２での装飾図柄の変動表示の開始時点及び終了時点は、特別図柄表示装置１６１での変動表示の開始時点及び終了時点と一致している。
【００１６】
また、副制御回路１３１は、入力端子１３０ｄから入力された主コマンド信号に基づいて、ランプ１６５の少なくとも一部、スピーカ１６４、装飾図柄表示装置１６２の少なくとも一つ、好適には、ランプ１６５の少なくとも一部を用いて（以下で、単に「報知装置」という）、内枠１０２やガラス扉１０４が開放されたことを報知する。
なお、報知装置としては、遊技機に対応して設けられている呼出ランプを用いることもできる。
ランプ１６５の少なくとも一部を報知装置（報知手段）として用いる場合には、ランプによる報知を、遊技店の係員等は容易に判別することができるが、遊技者は判別するのが困難であるように（遊技の妨げにならないように）、報知装置として用いるランプの配置位置、ランプの数、報知態様を決定するのが好ましい。例えば、遊技盤の隅に配置されているランプや、所定の位置に配置されている一つのランプを報知装置として用いる。
例えば、入力端子１３０ｄから、開放報知態様開始情報を含む主コマンド信号が入力されると、報知装置を、電源回路２０１からの電源の供給が停止されている時に内枠１０２あるいはガラス扉１９０４が開放されたことを示す開放報知態様で動作させる。この場合には、遊技店の係員等は、営業開始前に電源が供給され時に、報知装置の報知態様を確認することによって、夜間に遊技機に対して不正が行われた虞があることを容易に判別することができ、それに基づいて迅速に適切な処理を実行することができる。
また、入力端子１３０ｄから、内枠開放報知開始情報を含む主コマンド信号が入力されると、報知装置を、電源回路２０１から電源が供給されている状態で内枠１０２が開放されたことを示す内枠開放報知態様で動作させる。この場合には、遊技店の係員等は、報知装置の報知態様を確認することによって、遊技を行っている遊技者が不正を行っている虞があることを判別し、それによって迅速に適切な処理を実行することができる。
また、入力端子１３０ｄから、ガラス扉開放報知態様開始情報を含む主コマンド信号が入力されると、報知装置を、電源回路２０１から電源が供給されている状態でガラス扉１０４が開放されたことを示すガラス扉開放報知態様で動作させる。この場合には、遊技店の係員等は、報知装置の報知態様を確認することによって、遊技球を取り除く作業や釘を調整する作業等を行うためにガラス扉が開放された可能性もあることを判別し、それによって迅速に適切な処理を実行することができる。
また、入力端子１３０ｄから、内枠・ガラス扉開放報知態様開始情報を含む主コマンド信号が入力されると、報知装置を、電源回路２０１から電源が供給されている状態で内枠１０２及びガラス扉１０４が開放されたことを示す内枠・ガラス扉開放報知態様で動作させる。この場合には、遊技店の係員等は、報知装置の報知態様を確認することによって、遊技を行っている遊技者が不正を行っている虞があることを判別し、それに基づいて迅速に適切な処理を実行することができる。
このように、各状態に応じて異なる報知態様で報知を行うことにより、遊技点の係員等は、報知装置の報知態様から各状態を判別することができるため、各状態に応じた適切な処理を迅速に、確実に行うことができる。
なお、内枠１０２あるいはガラス扉１０４が開放されたことが報知されればよい場合には、開放報知態様、内枠開放報知態様、ガラス扉開放報知態様、内枠・ガラス扉開放報知態様として、同じ報知態様を用いることができる。
【００１７】
払出制御基板１４０には、払出制御回路（払出制御手段）１４１、ＲＯＭやＲＡＭを含む記憶回路（記憶手段）１４２、夜間監視制御基板１８０等が配設されている。
払出制御基板１４０には、端子１４０ａ〜１４０ｊ等が設けられている。入出力端子１４０ｂは、主制御基板１１０の入出力端子１１０ｅに接続されている。出力端子１４０ａは、払出装置（払出手段）１６３に接続されている。入力端子１４０ｃ、１４０ｄは、それぞれ、枠開閉検出器１０５、扉開閉検出器１０６に接続されている。
また、入力端子１４０ｃ、１４０ｄは、それぞれ、出力端子１４０ｅ、１４０ｆ及び出力端子１４０ｇ、１４０ｈに接続されているとともに、夜間監視制御基板１８０に接続されている。入力端子１４０ｉは、停電検出回路２０２（図３参照）に接続されている。また、入力端子２０２は、夜間監視制御基板１８０ｊに接続されている。出力端子１４０ｊは、夜間監視制御基板１８０に接続されている。
払出制御回路１４１は、入出力端子１４０ｂに入力された主コマンド信号と、記憶回路１４２に書き込まれている情報に基づいて、出力端子１４０ａから払出制御信号を払出装置１６３に出力し、主コマンド信号で示される数の遊技球を払出装置１６３から払い出す。
夜間監視制御基板１８０には、夜間監視制御回路１８１が配設されている。夜間監視制御基板１８０の構成及び夜間監視制御回路１８１の動作については後述する。
【００１８】
外部端子板１５０は、端子１５０ａ〜１５０ｄ等を有している。入力端子１５０ａ、１５０ｂは、それぞれ、払出制御基板１４０の出力端子１４０ｅ、１４０ｆに接続されている。入力端子１５０ａ、１５０ｂは、それぞれ、フォトモスリレー１５１、１５２を介して出力端子１５０ｃ、１５０ｄに接続されている。フォトモスリレーは、フォトカプラを用いた回路であり、非接触の信号経路を形成する。フォトモスリレー１５１、１５２の詳細は、図１０を参照して後述する。
外部端子板１５０の出力端子１５０ｃ、１５０ｄから出力される扉開閉検出信号、枠開閉検出信号は、ホールコンピュータ等の管理装置に出力される。
管理装置は、各遊技機の外部端子板１５０から出力される扉開閉検出信号、枠開閉検出信号に基づいて、内枠１０２やガラス扉１０４が開状態にある（開放されている）遊技機を判別する。管理装置による内枠１０２やガラス扉１０４の開放を監視する処理は、電源回路２０１から電源が供給されている時に行われる。
【００１９】
第１の実施の形態の遊技機の電源系の概略ブロック図を図３に示す。
本実施の形態のパチンコ機の電源系は、電源基板２００、払出制御基板１４０、主制御基板１１０、副制御基板１３０等により構成されている。
電源基板２００には、電源回路２０１、停電検出回路２０２等が配設されている。
ここで、電源線を介して電源に混入されるノイズによる電源に対する影響は、電源の電圧が高い方が電源の電圧が低い場合より小さい。このため、電源基板２００からは、各基板で使用される、電圧が低い電源（例えば、制御回路の動作電源として用いられるＤＣ５Ｖ電源）の電圧より高い電圧を有する電源を電源線を介して各基板に出力するのが好ましい。
また、電源線を介して電源を供給する場合には、電源線による電圧降下が発生する。本実施の形態では、図３に示すように、電源基板２００から、電源線を介して、払出制御基板１４０、主制御基板１１０、副制御基板１３０の順に出力されるように各基板が配置されているため、末端に配置されている副制御基板１３０に入力される電源に対する電源線の電圧降下による影響を考慮する必要がある。電源線の電圧降下による電源に対する影響は、電源の電圧が高い方が電源の電圧が低い場合より小さい。なお、表示制御基板が用いられる場合には、表示制御基板は、例えば、副制御基板１３０の下流側に配置される。
また、電源回路２０１での発熱量は、出力電流によって定まる。消費電力が同じである場合には、電圧を高くすることによって消費電流を少なくすることができる。このため、電源回路２０１から供給する電源の電圧を高くすることにより、電源回路２０１から供給する電源の電流を少なくすることができ、電源回路２０１での発熱量を低減することができる。
したがって、本実施の形態では、電源回路２０１として、分電基板（図示省略）からＡＣ２４Ｖ電源を入力し、ＤＣ５Ｖ電源の電圧より高い電圧を有するＤＣ３４Ｖ電源とＤＣ１２Ｖ電源に変換するＡＣ／ＤＣ変換回路を用いている。
【００２０】
電源回路２０１からのＤＣ３４Ｖ電源及びＤＣ１２Ｖ電源は、電源基板２００、払出制御基板１４０、主制御基板１１０、副制御基板１３０の間に設けられている電源線を介して払出制御基板１４０、主制御基板１１０、副制御基板１３０に順に供給される。
払出制御基板１４０には、電圧変換回路１４８等が配設されている。払出制御基板１４０では、供給されたＤＣ３４Ｖ電源、ＤＣ１２Ｖ電源は、それぞれ、ＤＣ３４Ｖ負荷、ＤＣ１２Ｖ負荷に印加される。また、ＤＣ１２Ｖ電源は、電圧変換回路１４８によりＤＣ５Ｖ電源に変換され、払出制御回路１４１等の５Ｖ負荷に印加される。
主制御基板１１０には、電圧変換回路１１８等が配設されている。主制御基板１１０では、供給されたＤＣ３４Ｖ電源、ＤＣ１２Ｖ電源は、それぞれ、ＤＣ３４Ｖ負荷、ＤＣ１２Ｖ負荷に印加される。また、ＤＣ１２Ｖ電源は、電圧変換回路１１８によりＤＣ５Ｖ電源に変換され、主制御回路１１１等の５Ｖ負荷に印加される。
副制御基板１３０には、電圧変換回路１３８等が配設されている。副制御基板１３０では、供給されたＤＣ３４Ｖ電源、ＤＣ１２Ｖ電源は、それぞれ、ＤＣ３４Ｖ負荷、ＤＣ１２Ｖ負荷に印加される。また、ＤＣ１２Ｖ電源は、電圧変換回路１３８によりＤＣ５Ｖ電源に変換され、副制御回路１３１等のＤＣ５Ｖ負荷に印加される。
【００２１】
本実施の形態では、ＡＣ２４Ｖ電源の電圧が急激に低下した場合でも、ＤＣ３４Ｖ電源、ＤＣ１２Ｖ電源及びＤＣ５Ｖ電源の電圧が徐々に低下するように構成されている。
停電検出回路２０２は、ＡＣ２４Ｖ電源の電圧（ＤＣ３４Ｖ電源あるいはＤＣ１２Ｖ電源の電圧でもよい）が立ち上がり電圧未満の状態から立ち上がり電圧より増加すると、電源回路２０２から電源が供給されることを示し（例えば、「Ｈ」レベル）、立ち下がり電圧以上の状態から立ち下がり電圧未満に低下すると、電源回路２０２からの電源の供給が停止することを示す（例えば、「Ｌ」レベル）停電信号（「停電予告信号」ともいう）を出力する。停電信号は、後述する停電処理を実行する制御回路に出力される。
各制御回路は、ＤＣ５Ｖ電源の電圧が動作電圧（例えば、４．７５Ｖ）以上に上昇すると電源復帰処理を実行し、停電信号が電源の供給が停止することを示すと（例えば、「Ｈ」レベルから「Ｌ」レベルに変化すると）停電処理を実行する。停電処理では、例えば、データを記憶回路の保持領域に記憶する処理と、記憶するデータからチェックサムを算出して記憶回路の保持領域に保存する処理が実行される。電源復帰処理では、記憶回路の保持領域に記憶されているデータからチェックサムを算出し、算出したチェックサムと記憶回路の保持領域に記憶されているチェックサムを比較し、保持領域に記憶されているデータが変化しているか否かを判断する処理が実行される。保持領域に記憶されているデータが変化していないことを判別した場合には、保持領域に記憶されているデータを用いて遊技を再開し、保持領域に記憶されているデータが変化していることを判別した場合には、記憶回路の初期化を行う。
立ち上がり電圧（電源供給開始電圧）は、例えば、ＡＣ２４Ｖ電源の電圧（ＤＣ３４Ｖ電源あるいはＤＣ１２Ｖ電源の電圧でもよい）が、ＤＣ５Ｖ電源の電圧が各制御回路が動作可能な電圧に達する電圧に設定される。また、立ち下がり電圧（電源供給停止電圧）は、停電信号が出力された後、各制御回路が停電処理を実行する間、ＤＣ５Ｖ電源の電圧が各制御回路が動作可能な電圧（例えば、４．７５Ｖ）未満に低下しないように設定される。
【００２２】
夜間監視制御基板１８０の構成を図４に示す。
夜間監視制御基板１８０には、夜間監視制御回路（夜間監視制御手段）１８１、ＲＯＭやＲＡＭ等の記憶回路（記憶手段）１８２、電圧変換回路１８８、逆流防止用のダイオード１８４、バックアップ電源１８５等が配設されている。
バックアップ電源１８５は、電源回路２０１からの電源の供給が停止されている時に夜間監視制御回路１８１に動作電源を供給するためのものであり、コンデンサやバッテリ等を用いることができる。本実施の形態では、バックアップ電源１８５としてコンデンサを用いている。なお、夜間監視制御回路１８１が枠開閉検出信号や扉開閉検出信号の状態を検出するために検出用の電源が必要である場合には、電源回路２０１からの電源の供給が停止されている時に検出用の電源を供給する検出用のバックアップ電源が設けられる。検出用のバックアップ電源としては、公知の適宜の電源を用いることができる。バックアップ電源１８５は、夜間監視制御基板１８０に配設するのが好ましいが、払出制御基板１４０に配設することもできる。
夜間監視制御基板１８０は、端子１８０ａ〜１８０ｅ等を有している。入力端子１８０ａには、電源回路２０１からのＤＣ１２Ｖ電源が払出制御基板１４０を介して入力される。入力端子１８０ｂには、枠開閉検出器１０５からの枠開閉検出信号が、払出制御基板１４０を介して入力される。入力端子１８０ｃには、扉開閉検出器１０６からの扉開閉検出信号が、払出制御基板１４０を介して入力される。入力端子１８０ｄには、停電検出回路２０２からの停電信号が、払出制御基板１４０を介して入力される。出力端子１８０ｅは、払出制御基板１４０の出力端子１４０ｊに接続されており、夜間監視制御回路１８１からの開放信号を主制御回路１１１に出力する。
電圧変換回路１８８は、入力端子１８０ａに供給されるＤＣ１２Ｖ電源をＤＣ５Ｖ電源に変換し、ダイオード１８４を介して夜間監視制御回路１８１及びバックアップ電源１８５に印加している。
【００２３】
次に、夜間監視制御回路１８１を用いた夜間監視制御動作及び報知動作を、図５に示すフローチャート用いて説明する。図５に示す処理は、適宜の時期に開始される。
本実施の形態では、夜間監視制御回路１８１は、電源回路２０１からの電源の供給が停止されている時（例えば、夜間）に、内枠１０２あるいはガラス扉１０４が開状態となったか否か（開放されたか否か）を判別する。
ステップＡ１では、初期化処理が実行される。初期化処理では、例えば、内枠開放フラグ及びガラス扉開放フラグがリセットされる。
ステップＡ２では、電源がオフされたか否かを判断する。電源がオフされたか否かは、入力端子１８０ｄに入力されている停電検出回路２０２からの停電信号が電源回路２０１からの電源の供給が停止されることを示したか否か、例えば、停電信号が「Ｈ」レベルから「Ｌ」レベルに変化したか否かあるいは停電信号が「Ｌ」レベルであるか否かにより判断する。電源がオフされていない場合には待機し、電源がオフされた場合（停電信号が「Ｈ」レベルから「Ｌ」レベルに変化した場合あるいは停電信号が「Ｌ」レベルである場合）にはステップＡ３に進む。
【００２４】
ステップＡ３では、内枠１０２が開放されたか否かを判断する。内枠１０２が開放されたか否かは、入力端子１８０ｂに入力されている、枠開閉検出器１０５からの枠開閉検出信号が内枠１０２が開状態であることを示したか否か、例えば、枠開閉検出信号が「Ｈ」レベルから「Ｌ」レベルに変化したか否かあるいは枠開閉検出信号が「Ｌ」レベルであるに否かによって判断する。内枠１０２が開放された場合にはステップＡ４に進む、内枠１０２が開放されていない場合（閉状態のとき）にはステップＡ６に進む。
ステップＡ４では、内枠開放フラグがセットされているか否か判断する。内枠開放フラグがセットされている場合にはステップＡ６に進み、内枠開放フラグがセットされていない（リセットされている）場合にはステップＡ５に進む。
ステップＡ５では、内枠開放フラグをセットした後、ステップＡ６に進む。
【００２５】
ステップＡ６では、ガラス扉１０４が開放されたか否かを判断する。ガラス扉１０４が開放されたか否かは、入力端子１８０ｃに入力されている、扉開閉検出器１０６からの扉開閉検出信号がガラス扉１０４が開状態であることを示したか印か、例えば、扉開閉検出信号が「Ｈ」レベルから「Ｌ」レベルに変化したか否かあるいは扉開閉検出信号が「Ｌ」レベルであるか否かによって判断する。ガラス扉１０４が開放された場合にはステップＡ７に進む、ガラス扉１０４が開放されていない場合（閉状態のとき）にはステップＡ９に進む。
ステップＡ７では、ガラス扉開放フラグがセットされているか否か判断する。ガラス扉開放フラグがセットされている場合にはステップＡ９に進み、ガラス扉開放フラグがセットされていない（リセットされている）場合にはステップＡ８に進む。
ステップＡ８では、ガラス扉開放フラグをセットした後、ステップＡ９に進む。
【００２６】
ステップＡ９では、電源がオンされたか否かを判断する。電源がオンされたか否かは、入力端子１８０ｄに入力されている停電検出回路２０２からの停電信号が電源回路２０１から電源が供給されることを示したか否か、例えば、停電信号が「Ｌ」レベルから「Ｈ」レベルに変化したか否かあるいは停電信号が「Ｈ」レベルであるか否かにより判断する。電源がオンされていない場合にはステップＡ３に戻り、電源がオンされた場合（停電信号が「Ｌ」レベルから「Ｈ」レベルに変化した場合あるいは停電信号が「Ｈ」レベルである場合）にはステップＡ１０に進む。
ステップＡ１０では、内枠開放フラグあるいはガラス扉開方フラグがセットされているか否かを判断する。ステップＡ１０での処理は、直前の電源遮断時に、内枠１０２あるいはガラス扉１０４が開放されたか否かを判断するためのものである。内枠開放フラグあるいはガラス扉開放フラグが設定されている場合には、直前の電源遮断時に内枠１０２あるいはガラス扉１０４が開放されたことを判別し、ステップＡ１１に進む。一方、内枠開放フラグ及びガラス扉開放フラグが共にセットされていない（共にリセットされている）場合には、直前の電源遮断時に内枠１０２及びガラス扉が開放されなかったことを判別し、ステップＡ２０に戻る。
ステップＡ１１では、夜間監視制御回路１８１は、直前の電源遮断時に内枠１０２あるいはガラス扉１０４が開放されたことを示す開放信号（例えば、内枠開放フラグあるいはガラス扉開放フラグがセットされていることを示す開放信号）を出力端子１８０ｅを介して主制御回路１１１に出力する。
【００２７】
ステップＡ１２では、報知装置により、直前の電源遮断時に内枠１０２あるいはガラス扉１０４が開放されたことを示す開放報知態様で動作させる（開放報知を行う）。例えば、主制御回路１１１は、夜間制御回路１８１から出力された開放信号が入力端子１１０ｈを介して入力されると、開放報知態様開始情報を含む主コマンド信号を出力端子１１０ｄを介して副制御回路１３１に出力する。副制御回路１３１は、入力端子１３０ｄから開放報知態様開始情報を含む主コマンド信号が入力されると、報知装置を開放報知態様で動作させる。
ステップＡ１３では、報知装置を開放報知態様で動作させてから設定期間が経過したか否かを判断する。報知装置を開放報知態様で動作させてから設定期間経過していない場合には待機し、設定期間経過した場合にはステップＡ１４に進む。ステップＡ１３の設定期間は本発明の「第１の設定期間」に対応する。
ここで、通常、報知装置を開放報知態様で動作させる時には、内枠１０２あるいはガラス扉１０４が開放されていない（閉状態）ため、報知装置を開放報知態様で動作させることを終了させる終了条件を設定する必要がある。開放報知態様での動作を終了させる終了条件を入力する方法として、リセットスイッチを設ける方法が考えられる。しかしながら、リセットスイッチの操作により開放報知態様での動作を終了させる終了条件を入力する方法を用いた場合、リセットスイッチが不正に操作される虞がある。本実施の形態では、不正に開放報知態様での動作が終了されるあるいは開放報知態様での動作が不正に行われるのを防止するために、開放報知態様での動作を開始してから設定期間経過した時点で開放報知態様を終了させる方法を用いている。通常、電源回路から電源が供給されるのは、遊技店の営業開始前であり、遊技客が遊技を行っていないため、開放報知態様での動作を設定期間行うことにより、遊技店の係員等は報知装置が開放報知態様で動作していることを判別することができる。
ステップＡ１４では、報知装置の開放報知態様での動作（開放報知態様での報知）を終了させる。
なお、ステップＡ１３及びＡ１４の処理は、副制御回路１３１が行ってもよいし、主制御回路１１１が行ってもよい。主制御回路１１１が行う場合には、設定期間が経過した時点で開放報知態様での動作（開放報知態様での報知）を終了させることを示す開放報知態様終了情報を含む主コマンド信号を主制御回路１１１から副制御回路１３１に出力する。
ステップＡ１５では、夜間監視制御回路１８１は、内枠開放フラグ及びガラス扉開放フラグをリセットした後、ステップＡ２に戻る。なお、ステップＡ１５での内枠開放フラグ及びガラス扉開放フラグのリセット処理は、ステップＡ１１で開放信号を主制御回路１１１に送信した時点で行ってもよい。
夜間監視制御回路１８１は、ステップＡ１〜Ａ１１、Ａ１５の処理を実行する。
【００２８】
本実施の形態では、遊技点の係員等が、営業開始前に電源回路２０１から電源が供給された時に、夜間に内枠１０２あるいはガラス扉１０４が開放されたか否か（夜間に遊技機に対する不正が行われた虞があるか否か）を判別することができるようにするために、停電検出回路からの停電信号が電源回路２０１からの電源の供給が停止している（電源が遮断されている）ことを示している夜間等に、内枠１０２あるいはガラス扉１０４が開放されか否かを判別し、開放情報として記憶している。このため、内枠１０２やガラス扉１０４の開放状態を履歴情報として記憶する場合に比べて、記憶容量の小さい記憶回路を用いることができる。また、開放情報として内枠開放フラグやガラス扉開放フラグを用いる場合には、ＣＰＵの内臓ＲＡＭを用いることができ、専用の記憶回路を用いる必要がない。
なお、実施の形態では、内枠１０２が開放されたことを記憶する内枠開放フラグとガラス扉１０４が開放されたことを記憶するガラス扉開放フラグを用いたが、内枠１０２あるいはガラス扉１０４が開放されたことを記憶する開放フラグを用いてもよい。この場合には、図５のステップＡ４、Ａ７では「開放フラグがセットされているか否かを判断する」処理が実行され、ステップＡ５、Ａ８では「開放フラグをセットする」処理が実行され、ステップＡ１０では「開放フラグがセットされているか否かを判断する」処理が実行され、ステップＡ１５では「開放フラグをリセットする」処理が実行される。
【００２９】
また、本実施の形態では、夜間監視制御回路１８１は、停電検出回路２０２からの停電信号が電源回路２０１からの電源の供給が停止したことを示した場合（停電信号が「Ｈ」レベルから「Ｌ」レベルに変化した場合に）に内枠１０２あるいはガラス扉１０４が開放されたか否かを判別する処理を実行する（図5のステップＡ２〜Ａ９の処理）ように構成されている。すなわち、明らかに電源が遮断された、営業時間外の夜間に遊技機に対する不正が行われた虞があるか否かを判別するように構成されている。
これにより、夜間監視制御回路１８１の電源が、電源回路２０１から供給される電源（図４では電圧変換回路１８５から供給される電源）から、バックアップ用の電源１８５から供給される電源に切り替わったことを判別する処理等を行う必要がない。
【００３０】
次に、電源回路２０１から電源が供給されている時（電源供給時）に、内枠１０２あるいはガラス扉１０４が開放された場合の報知動作を説明する。
主制御回路１１１は、入力端子１１０ｆに入力される枠開閉検出信号と入力端子１１０ｇに入力される扉開閉検出信号に基づいて、内枠１０２の開閉状態及びガラス扉１０４の開閉状態を判別する。
そして、ガラス扉１０４が閉状態にあり、内枠１０２が開状態にあること（開放されたこと）を判別した場合（例えば、扉開閉検出信号が「Ｌ」レベルであり、枠開閉検出信号が「Ｌ」レベルから「Ｈ」レベルに変化したことあるいは枠開放検出信号が「Ｈ」レベルであることを判別した場合）には、内枠１０２が開放されている（開状態にある）ことを報知することを示す内枠開放報知態様開始情報を含む主コマンド信号を主制御信号として、出力端子１１０ｄを介して副制御回路１３１に出力する。
なお、本実施の形態では、ガラス扉１０４及び内枠１０２が開状態にあることを判別した場合（扉開閉検出信号及び枠開閉検出信号が「Ｌ」レベルから「Ｈ」レベルに変化したことを判別した場合あるいは扉開閉検出信号及び枠開閉検出信号が「Ｈ」レベルである場合、ガラス扉開閉検出信号が「Ｈ」レベルであり、枠開閉検出信号が「Ｌ」レベルから「Ｈ」レベルに変化したことを判別した場合、枠開閉検出信号が「Ｈ」レベルであり、扉開閉検出信号が「Ｌ」レベルから「Ｈ」レベルに変化したことを判別した場合）にも、内枠開放報知態様開始情報を含む主コマンド信号を主制御信号として、出力端子１１０ｄを介して副制御回路１３１に出力するように構成している。
内枠開放報知態様開始情報を含む主コマンド信号を副制御回路１３１に出力した後、内枠開閉検出信号が内枠１０４が閉状態にあることを示し、扉開閉検出信号がガラス扉１０４が開状態にあることを示していることを判別した場合には、ガラス扉開報報知態様開始情報を含む主コマンド信号を副制御回路１３１に出力する。また、内枠開放報知態様開始情報を含む主コマンド信号を副制御回路１３１に出力した後、内枠開閉検出信号が内枠１０４が閉状態にあることを示し、扉開閉検出信号がガラス扉１０４が閉状態にあることを示していることを判別した場合には、内枠開放報知態様終了情報を含む主コマンド信号を副制御回路１３１に出力する。
【００３１】
また、枠開閉検出信号が内枠１０２が閉状態にあることを示し、扉開閉検出信号がガラス扉１０４が開状態にあることを判別した場合（例えば、枠開閉検出信号が「Ｌ」レベルであり、扉開閉検出信号が「Ｌ」レベルから「Ｈ」レベルに変化したことあるいは扉開閉検出信号が「Ｈ」レベルであることを判別した場合）には、ガラス扉１０４が開放されている（開状態にある）ことを報知することを示すガラス扉開放報知態様開始情報を含む主コマンド信号を主制御信号として、出力端子１１０ｄを介して副制御回路１３１に出力する。
なお、内枠開放報知態様開始情報を含む主コマンド信号を副制御回路１３１に出力した後に、扉開閉検出信号がガラス扉１０４が開状態にあることを示し、枠開閉検出信号が内枠１０２が閉状態にあることを示していることを判別した場合には、ガラス扉開方報知態様開始情報を含む主コマンド信号を主制御信として、出力端子１１０ｄを介して副制御回路１３１に出力する。この場合、ガラス扉開放報知態様開始情報を含む主コマンド信号は、内枠開放報知態様終了情報を含む主コマンド信号でもある。
ガラス扉開方報知態様開始情報を含む主コマンド信号を副制御回路１３１に出力した後、扉開閉検出信号がガラス扉１０４が閉状態にあることを判別し、枠開閉検出信号が内枠１２０が閉状態にあることを判別した場合（例えば、扉開閉検出信号及び枠開閉検出信号が「Ｌ」レベルであることを判別した場合）には、ガラス扉開放報知を終了することを示すガラス扉開放報知態様終了情報を含む主コマンド信号を主制御信号として、出力端子１１０ｄを介して副制御回路１３１に出力する。
あるいは、ガラス扉開方報知態様開始情報を含む主コマンド信号を出力した後、枠開閉検出信号が内枠１２０が開状態にあることを示していることを判別した場合（扉開閉検出信号がガラス扉１０４が開状態を示しているか閉状態を示しているかに関係なく）には、内枠開放報知態様開始情報を含む主コマンド信号を主制御信号として、出力端子１１０ｄを介して副制御回路１３１に出力する。この場合、内枠開放報知態様開始情報を含む主コマンド信号は、ガラス扉開放報知態様終了情報を含む主コマンド信号でもある。
【００３２】
なお、各報知態様の報知を開始することを示す開始情報を含む主コマンド信号を出力すると、当該主コマンド信号は、各報知態様の報知を終了することを示す終了情報を含む主コマンド信号を出力するまで保持されるように構成することもできる。
この場合、主制御回路１１１は、報知態様の報知を開始することを示す開始情報を含む主コマンド信号を副制御回路１３１に出力した後、当該報知態様の報知を行う条件が満足されなくなると当該報知態様の報知を終了することを示す終了情報を含む主コマンド信号を副制御回路１３１に出力し、また、当該報知態様の報知より優先順位が高い報知態様の報知を行う条件が満足されると、当該優先順位が高い報知態様の報知を開始することを示す開始情報を含む主コマンド信号を副制御回路１３１に出力する。
例えば、ガラス扉開放報知態様開始情報を含む主コマンド信号に続けて、ガラス扉開放報知態様より優先順位が高い内枠開放報知態様を開始することを示す内枠開放報知態様開始情報を含む主コマンド信号を副制御回路１３１に出力した場合を考える。この場合、ガラス扉開放報知態様終了情報を含む主コマンド信号が出力されていないため、副制御回路１３１は、ガラス扉開放報知態様開始情報を含む主コマンド信号を記憶している状態で、報知装置を内枠開放報知態様で動作させる（内枠開放報知態様の報知を行う）。
この状態で、扉開閉検出信号がガラス扉１０４が開状態にあることを示し、枠開閉検出信号が内枠１０２が閉状態にあることを示していることを判別した場合には、内枠開放報知態様の報知を行う条件が満足されなくなるため、主制御回路１１１は、内枠開放報知態様終了情報を含む主コマンド信号を副制御回路１３１に出力する。副制御回路１３１は、内枠開放報知態様終了情報を含む主コマンド信号が入力されると、内枠開放報知態様の報知を終了するとともに、内枠開放報知態様開始情報を含む主コマンド信号の記憶を解除する。この時、副制御回路１３１は、ガラス扉開放報知態様開始情報を含む主コマンド信号を記憶しているため、ガラス扉開放報知態様の報知を開始（再開）する。その後、扉開閉検出信号がガラス扉１０４が閉状態にあることを示し、枠開閉検出信号が内枠１０２が閉状態にあることを示していることを判別した場合には、ガラス扉開放報知態様の報知を行う条件が満足されなくなるため、ガラス扉開放報知態様終了情報を含む主コマンド信号が副制御回路１３１に出力される。これにより、ガラス扉開放報知態様の報知が終了するとともに、ガラス扉開放報知態様開始情報を含む主コマンド信号の記憶が解除される。
【００３３】
内枠１０２が開放されていることを報知する内枠開放報知態様やガラス扉１０４が開放されていることを報知するガラス扉開放報知態様（例えば、報知装置の種類、報知方法、報知期間等）は適宜設定することができる。
例えば、スピーカ１６４を報知装置として用いる場合には、内枠開放報知態様とガラス扉開放報知態様で異なる音や、異なるメロディや、異なるメッセージを発生させることができる。例えば、内枠開放報知態様では、スピーカ１６４から「ピンポーン」という音と「扉が開いています。」というメッセージを間欠的に発生させ、ガラス扉開放報知態様では、「ピー」という音と「枠が開いています。」というメッセージを間欠的に発生させることができる。
また、ＬＥＤ等のランプ１６５を報知装置として用いる場合には、内枠開放報知態様とガラス扉開放報知態様で異なる周期で点滅点灯させ、あるいは異なる点灯色で点灯させ、あるいは異なる数のランプを点灯させることができる。
あるいは、内枠開放報知態様では、遊技盤１０３及びガラス扉１０４に設けられている装飾ランプを全点灯させ、ガラス扉開放報知態様では、ガラス扉１０４に設けられている装飾ランプを全点灯させ、遊技盤１０３に設けられている装飾ランプを全消灯させる。遊技盤１０３に設けられている装飾ランプが点灯していると、眩しいため、遊技領域に詰まっている遊技球を取り除く作業や釘を調整する作業が困難である。このような報知態様を用いると、ガラス扉１０４が開放される時には、遊技盤１０３に設けられている装飾ランプが全消灯するため、眩しくなく、遊技領域に詰まっている遊技球を取り除く作業や釘を調整する作業を容易に行うことができる。
また、装飾図柄表示装置１６２を報知装置として用いる場合には、内枠開放報知態様とガラス扉開放報知態様で異なる画像やメッセージを表示することができる。例えば、内枠開放報知態様では、「扉が開いています。」というメッセージを黄色で表示し、ガラス扉開放報知態様では、「枠が開いています。」というメッセージを赤色で表示することができる。
勿論、報知装置の数や報知態様を複数組み合わせることもできる。
遊技者の遊技の妨げになるのを防止するには、装飾ランプの一部を報知装置として用い、報知を行う場合には、他の装飾ランプの演出態様と異なる報知態様で動作させるのが好ましい。
【００３４】
また、報知装置により報知する報知期間も適宜設定することができる。
例えば、内枠１０２が開放されている期間（扉開閉検出信号の状態に関係なく、枠開閉検出信号が内枠１０２が開放されていることを示している間）を内枠開放報知態様で報知する報知期間、ガラス扉１０４のみが開放されている期間（枠開閉検出信号が内枠１０２が閉状態にあることを示し、扉開閉検出信号がガラス扉１０４が開状態にあることを示している間）をガラス扉開放報知態様で報知する報知期間として設定することができる。
主制御回路１１１は、枠開閉検出信号が内枠１０２が開状態にあることを示していることを判別した時に、内枠開放報知態様での報知を開始することを決定し、内枠開放報知態様開始情報を含む主コマンド信号を副制御回路１３１に出力する。副制御回路１３１は、内枠開放報知態様開始情報を含む主コマンド信号が入力されると、内枠開放報知態様の報知を開始する。
そして、主制御回路１１１は、内枠開放報知態様開始情報を含む主コマンド信号を副制御回路１３１に出力した後、扉開閉検出信号がガラス扉１０４が閉状態にあることを示し、枠開閉検出信号が内枠１０２が閉状態にあることを示していることを判別した時に、内枠開放報知態様の報知を終了することを決定し、第内枠開放報知態様終了情報を含む主コマンド信号を副制御回路１３１に出力する。副制御回路１３１は、内枠開放報知態様終了情報を含む主コマンド信号が入力されると、内枠開放報知態様の報知を終了する。
あるいは、主制御回路１１１は、内枠開放報知態様開始情報を含む主コマンド信号を副制御回路１３１に出力した後、扉開閉検出信号がガラス扉１０４が開状態にあることを示し、枠開閉検出信号が内枠１０２が閉状態にあることを示していることを判別した時に、内枠開放報知態様の報知を終了するとともにガラス扉開放報知態様の報知を開始することを決定し、ガラス扉開放報知態様開始情報を含む主コマンド信号を副制御回路１３１に出力する。副制御回路１３１は、ガラス扉開放報知態様開始情報を含む主コマンド信号が入力されると、ガラス扉開放報知態様の報知を開始する。
【００３５】
また、主制御回路１１１は、枠開閉検出信号が内枠１０２が閉状態にあることを示し、扉開閉検出信号がガラス扉１０４が開状態にあることを示していることを判別した時に、ガラス扉開放報知態様の報知を開始することを決定し、ガラス扉開放報知態様開始情報を含む主コマンド信号を副制御回路１３１に出力する。副制御回路１３１は、ガラス扉開放報知態様開始情報を含む主コマンド信号が入力されると、ガラス扉開放報知態様の報知を開始する。
そして、主制御回路１１１は、ガラス扉開放報知態様開始情報を含む主コマンド信号を副制御回路１３１に出力した後、枠開閉検出信号が内枠１０２が閉状態にあることを示し、扉開閉検出信号がガラス扉１０４が閉状態にあることを示していることを判別した時に、ガラス扉開放報知態様の報知を終了することを決定し、ガラス扉開放報知態様終了情報を含む主コマンド信号を副制御回路１３１に出力する。副制御回路１３１は、ガラス扉開放報知態様終了情報を含む主コマンド信号が入力されると、ガラス扉開放報知態様の報知を終了する。
あるいは、主制御回路１１１は、ガラス扉開放報知態様開始情報を含む主コマンド信号を副制御回路１３１に出力した後、枠開閉検出信号が内枠１０２が開状態にあることを示していることを判別した場合には、ガラス扉開放報知態様の報知を終了するとともに内枠開放報知態様の報知を開始することを決定し、内枠開放報知態様開始情報を含む主コマンド信号を副制御回路１３１に出力する。副制御回路１３１は、内枠開放報知態様開始情報を含む主コマンド信号が入力されると、内枠開放報知態様の報知を開始する。
【００３６】
ここで、内枠１０２を開けた後、直ちに枠開閉検出器１０５を不正に操作して、枠開閉検出信号が内枠１０２が閉じている（閉状態にある）ことを示すように設定した場合には、枠開閉検出信号が内枠１０２が開状態にあることを示している期間が非常に短くなる。この場合、内枠開放報知態様での報知が行われないか、あるいは、内枠開放報知態様での報知が単時間しか行われない。同様に、ガラス扉１０４を開けた後、直ちに扉開閉検出器１０６を不正に操作して、扉開閉検出信号がガラス扉１０４が閉じている（閉状態にある）ことを示すように設定した場合には、ガラス扉開放報知態様での報知が行われないか、あるいは、ガラス扉開放報知態様での報知が単時間しか行われない。
このように、枠開閉検出器１０５や扉開閉検出器１０６が不正に操作されて、内枠開放報知態様での報知やガラス扉開放報知態様での報知が行われないか、あるいは、短時間しか行われない場合には、内枠１０２やガラス扉１０４が開いていること（開状態にあること）を遊技店の係員等が判別することができない虞がある。
このため、枠開閉検出信号が内枠１０２が開状態にあることを示している間内枠開放報知態様での報知を行い、あるいは、枠開閉検出信号が内枠１０２が閉状態にあることを示し、扉開閉検出信号がガラス扉１０４が開状態にあることを示している間ガラス扉開放報知態様での報知を行う場合には、内枠１０２やガラス扉１０４が開いた後に枠開閉検出器１０５や扉開閉検出器１０６が不正に操作されても、内枠１０２やガラス扉１０４が開いていることを遊技店の係員等が確実に判別することができるようにする対策を講じるのが好ましい。
本実施の形態では、内枠１０２やガラス扉１０４が開いた場合には、内枠開放報知態様での報知あるいはガラス扉開放報知態様での報知が少なくとも設定期間行われるように構成することによって、枠開閉検出器１０５や扉開閉検出器１０６が不正に操作されても、内枠１０２やガラス扉１０４が開いていることを遊技店の係員等が確実に判別することができるようにしている。
【００３７】
内枠１０２やガラス扉１０４が開いた場合には、内枠開放報知態様での報知あるいガラス扉開放報知態様での報知を少なくとも設定期間行う一つの方法は、内枠１０２やガラス扉１０４が開いたことを判別し、内枠開放報知態様での報知あるいはガラス扉開放報知態様での報知を行うことを決定した場合には、内枠１０２やガラス扉１０４の開閉状態に関係なく、内枠開放報知態様での報知あるいはガラス扉開放報知態様での報知を少なくとも設定期間行う方法である。
内枠開放報知態様での報知あるいはガラス扉開放報知態様での報知の開始時におけるこの設定期間は本発明の「第２の設定期間」に対応する。
この場合、以下のように動作する。
主制御回路１１１は、枠開閉検出信号が内枠１０２が開状態にあることを示していることを判別した場合には、内枠開放報知態様での報知を行うことを決定し、内枠開放報知態様開始情報を含む主コマンド信号を副制御回路１３１に出力する。ここで、主制御回路１１１は、内枠開放報知態様での報知を行うことを決定した場合には、第２の設定期間経過するまでは内枠開放報知態様での報知を行う（継続する）。例えば、枠開閉検出信号が内枠１０２が閉状態にあることを示し、扉開閉検出信号がガラス扉１０４が閉状態にあることを示していることを判別した場合、あるいは、枠開閉検出信号が内枠１０２が閉状態にあることを示し、扉開閉検出信号がガラス扉１０４が開状態にあることを示していることを判別した場合でも、内枠開放報知態様での報知を行う。
そして、第２の設定期間が経過した後は、枠開閉検出信号が内枠１０２が閉状態にあることを示し、扉開閉検出信号がガラス扉１０４が閉状態にあることを示していることを判別した場合には、ガラス扉開放報知態様での報知を終了することを決定し、内枠開放報知態様終了情報を含む主コマンド信号を副制御回路１３１に出力する。なお、枠開閉検出信号が内枠１０２が閉状態にあることを示し、扉開閉検出信号がガラス扉１０４が開状態にあることを示していることを判別した場合には、ガラス扉開放報知態様での報知を行うことを決定し、ガラス扉開放報知態様開始情報を含む主コマンド信号を副制御回路１３１に出力する。
【００３８】
また、主制御回路１１１は、枠開閉検出信号が内枠１０２が閉状態にあることを示し、扉開閉検出信号がガラス扉１０４が開状態にあることを示していることを判別した場合には、ガラス扉開放報知態様での報知を行うこと決定し、ガラス扉開放報知態様開始情報を含む主コマンド信号を副制御回路１３１に出力する。ここで、主制御回路１１１は、ガラス扉開放報知態様での報知を行うことを決定した場合には、第２の設定期間経過するまではガラス扉開放報知態様での報知を行う（継続する）。例えば、第２の設定期間内に、枠開閉検出信号が内枠１０２が閉状態にあることを示し、扉開閉検出信号が閉状態にあることを示していることを判別した場合でも、ガラス扉開放報知態様での報知を行う。
そして、第２の設定期間が経過した後は、枠開閉検出信号が内枠１０２が閉状態にあることを示し、扉開閉検出信号がガラス扉１０４が閉状態にあることを示していることを判別した場合には、ガラス扉開放報知態様での報知を行うことを終了することを決定し、ガラス扉開放報知態様終了情報を含む主コマンド信号を副制御回路１３１に出力する。
なお、ガラス扉開放報知態様開始情報を含む主コマンド信号を副制御回路１３１に出力してから前記第２の設定期間内あるいは前記第２の設定期間が経過した後に、枠開閉検出信号が内枠１０２が開状態にあることを示していることを判別した場合には、内枠開放報知態様での報知を行うことを決定し、内枠開放報知態様開始情報を含む主コマンド信号を副制御回路１３１に出力する。
【００３９】
内枠１０２やガラス扉１０４が開放された場合には、内枠開放報知態様での報知あるいはガラス扉開放報知態様での報知を少なくとも設定期間行う他の方法は、内枠１０２やガラス扉１０４が閉じたことを判別し、内枠開放報知態様での報知あるいはガラス扉開放報知態様での報知を終了することを決定した場合に、設定期間だけ枠開放報知態様での報知あるいはガラス扉開放報知態様での報知を継続した後（延長した後）に内枠開放報知態様での報知あるいはガラス扉開放報知態様での報知を終了するする方法である。
内枠開放報知態様での報知あるいはガラス扉開放報知態様での報知の終了時における設定期間は「第３の設定期間」に対応する。
この場合、以下のように動作する。
主制御回路１１１は、枠開閉検出信号が内枠１０２が開状態にあることを示していることを判別した場合には、内枠開放報知態様での報知を行うこと決定し、内枠開放報知態様開始情報を含む主コマンド信号を副制御回路１３１に出力する。
その後、枠開閉検出信号が内枠１０２が閉状態にあることを示し、扉開閉検出信号がガラス扉１０４が閉状態にあることを示していることを判別した場合には、内枠開放報知態様での報知を行うことを終了することを決定する。なお、枠開閉検出信号が内枠１０２が閉状態にあることを示し、扉開閉検出信号がガラス扉１０４が開状態にあることを示していることを判別した場合には、ガラス扉開放報知態様での報知を行うことを決定する。
内枠開放報知態様での報知を行うことを終了することを決定した場合には、終了時点から内枠開放報知態様での報知を第３の設定期間継続した（延長した）後に内枠開放報知態様での報知を終了する。
内枠開放報知態様での報知を終了することを決定した時点から第３の設定期間経過した後に内枠開放報知態様での報知を終了する方法としては適宜の方法を用いることができる。例えば、内枠開放報知態様での報知を終了することを決定した時点から第３の設定期間経過した後に、内枠開放報知態様終了情報を含む主コマンド信号を主制御回路１１１から副制御回路１３１に出力する方法を用いることができる。あるいは、内枠開放報知態様での報知を終了することを決定した時点で内枠開放報知態様終了情報を含む主コマンド信号を主制御回路１１１から副制御回路１３１に出力し、副制御回路１３１は、内枠開放報知態様終了情報を含む主コマンド信号が入力されると、内枠開放報知態様終了情報を含む主コマンド信号が入力された時点から第３の設定期間経過した後に内枠開放報知態様での報知を終了する方法を用いることができる。
【００４０】
また、主制御回路１１１は、枠開閉検出信号が内枠１０２が閉状態にあることを示し、扉開閉検出信号がガラス扉１０４が開状態にあることを示していることを判別した場合には、ガラス扉開放報知態様での報知を行うことを決定し、ガラス扉報知態様開始情報を含む主コマンド信号を副制御回路１３１に出力する。
そして、枠開閉検出信号が内枠１０２が閉状態にあることを示し、扉開閉検出信号がガラス扉１０４が閉状態にあることを示していることを判別した場合には、ガラス扉開放報知態様での報知を終了することを決定する。なお、枠開閉検出信号が内枠１０２が開状態にあることを示していることを判別した場合には、内枠開放報知態様での報知を行うことを決定する。
ガラス扉開放報知態様での報知を行うことを終了することを決定した場合には、ガラス扉開放報知態様での報知を第３の設定期間継続した（延長した）後にガラス扉開放報知態様での報知を終了する。
ガラス扉開放報知態様での報知を終了することを決定した時点から第３の設定期間経過後にガラス扉開放報知態様での報知を終了する方法としては、適宜の方法を用いることができる。例えば、ガラス扉開放報知態様での報知を終了することを決定した時点から第３の設定期間経過した後に、ガラス扉開放報知態様終了情報を含む主コマンド信号を主制御回路１１１から副制御回路１３１に出力する方法を用いることができる。あるいは、ガラス扉開放報知態様での報知を終了することを決定した時点でガラス扉開放報知態様終了情報を含む主コマンド信号を主制御回路１１１から副制御回路１３１に出力し、副制御回路１３１は、ガラス扉開放報知態様終了情報を含む主コマンド信号が入力されると、ガラス扉開放報知態様終了情報が入力された時点から第３の設定期間経過した後に報知装置によるガラス扉開放報知態様での報知を終了する方法を用いることができる。
なお、主制御回路１１１は、報知装置により内枠開放報知態様での報知を行う場合あるいは報知装置によりガラス扉開放報知態様での報知を行う場合には、遊技機での遊技を不能とする制御を行うように構成するのが好ましい。例えば、遊技球を遊技領域に発射する発射レバーの駆動回路を停止する制御を行い、あるいは、上皿に収容されている遊技球が発射位置に転送されるのを禁止する制御を行うように構成する。
【００４１】
以上のように、枠開閉検出信号と扉開閉検出信号に基づいて、内枠開放報知態様での報知あるいはガラス扉開放報知態様での報知を開始することを決定した場合には、内枠開放報知態様での報知を少なくとも第２の設定期間継続することにより、あるいは、枠開閉検出信号と扉開閉検出信号に基づいて、内枠開放報知態様での報知あるいはガラス扉開放報知態様での報知を終了することを決定した場合には、内枠開放報知態様での報知あるいはガラス扉開放報知態様での報知を第３の設定期間継続した後（延長した後）に内枠開放報知態様での報知あるいはガラス扉開放報知態様での報知を終了することにより、枠扉開閉検出信号が内枠１０２が開状態にあることを示した後単時間で枠開閉検出信号が内枠１０２が閉状態にあることを示した場合、あるいは、扉開閉検出信号がガラス扉１０４が開状態にあることを示した後単時間で扉開閉検出信号がガラス扉１０４が閉状態にあることを示した場合でも、内枠開放報知態様での報知あるいはガラス扉開放報知態様での報知が少なくとも設定期間行われる。これにより、枠開閉検出器１０５や扉開閉検出器１０６が不正に操作された場合でも、遊技店の係員等は、内枠開放報知態様での報知あるいはガラス扉開放報知態様での報知を確実に確認することができ、不正な遊技が行われていることを確実に判別することができる。
【００４２】
本実施の形態では、内枠１０２の開閉状態を示す枠開閉検出信号を出力する枠開閉検出器１０５とガラス扉１０４の開閉状態を示す扉開閉検出信号を出力する扉開閉検出器１０６を遊技機に設け、枠開閉検出信号と扉開閉検出信号を、遊技機に設けられている払出制御基板１４０に出力している。そして、払出制御基板１４０に入力された枠開閉検出信号及び扉開閉検出信号を、払出制御基板１４０に設けられている夜間監視制御回路１８１及び主制御回路１１１に出力するとともに、外部端子板１５０を介して外部に出力している。また、電源回路２０１からの電源の供給状態を示す停電信号（電源供給検出信号）を払出制御基板１４０を介して夜間監視制御回路１８１に出力している。
【００４３】
これにより、停電信号が電源回路２０１から電源の供給が停止していることを示している時（夜間等の電源遮断時）に、内枠１０２あるいはガラス扉１０４が開放されると、夜間監視制御回路１８１は、電源遮断時に内枠１０２あるいはガラス扉１０４が開放したことを示す開放信号（内枠開放フラグあるいはガラス扉開放フラグ）を記憶する。そして、停電信号が電源回路２０１から電源が供給されていることを示した時に、夜間監視制御回路１８１は、直前の電源遮断時（例えば、昨夜）に内枠１０２あるいはガラス扉１０４が開放したことを示す開放信号を記憶している場合には、内枠１０２あるいはガラス扉１０４が開放したことを示す開放信号（内枠開放フラグあるいはガラス扉開放フラグの状態）を主制御回路１１１に出力する。主制御回路１１１は、内枠１０２あるいはガラス扉１０４が開放したことを示す開放信号が入力されると、開放報知態様開始情報を含む主コマンド信号を副制御回路１３１に出力する。副制御回路１３１は、開放報知態様開始情報を含む主コマンド信号が入力されると、報知装置を開放報知態様で動作させる。開放報知態様の報知は、第１の設定期間行われる。これにより、遊技店の係員等は、営業開始前に電源回路２０１から電源の供給が開始された時に、報知装置の報知態様を確認することによって、直前の電源遮断時（夜間）に内枠１０２あるいはガラス扉１０４が開放されたことを判別することができ、不正な遊技に対して迅速に、適切な処理を選択することができる。
また、電源回路２０１から電源が供給されている時（電源供給時）には、主制御回路１１１は、枠開閉検出信号に基づいて内枠１０２の開閉状態を判別するとともに扉開閉検出信号に基づいてガラス扉１０４の開閉状態を判別する。そして、内枠１０２及びガラス扉１０４の開閉状態に基づいて、内枠１０２が開放されていることを示す内枠開放報知態様での報知を行うか、内枠１０２は閉じているがガラス扉１０４が開放されていることを示すガラス扉開放報知態様での報知を行うかを決定し、内枠開放報知態様開始情報を含む主コマンド信号、内枠開放報知態様終了情報を含む主コマンド信号、ガラス扉開放報知態様開始情報を含む主コマンド信号、ガラス扉開放報知態様狩猟情報を含む主コマンド信号等を副制御回路１３１に出力する。副制御回路１３１は、内枠開放報知態様開始情報を含む主コマンド信号、内枠開放報知態様終了情報を含む主コマンド信号、ガラス扉開放報知態様開始情報を含む主コマンド信号、ガラス扉開放報知態様終了情報を含む主コマンド信号に基づいて、報知装置を内枠開放報知態様あるいはガラス扉開放報知態様で動作させ、あるいは報知装置の動作を終了させる。これにより、遊技店の係員等は、遊技機に対応して設けられている報知装置の報知態様を確認することによって、電源回路２０１から電源が供給されている時（営業時間内）に、内枠１０２が開放されたこと、あるいは、内枠１０２は閉じているがガラス扉１０４が開放されていることを容易に判別することができる。
特に、本実施の形態では、内枠１０２が開放されている時と、内枠１０２は閉じているがガラス扉１０４が開放されている時で異なる報知態様で報知するため、遊技店の係員等は、内枠１０２が開放されているかガラス扉１０４のみが開放されているかを容易に判別することができる。これにより、内枠１０２の開放時及びガラス扉１０４のみの開放時それぞれに対応した適切な処理を迅速に実行することができるため、不正な遊技が行われていることを確実に判別することができる。
【００４４】
さらに、遊技機に対応して設けられている報知装置により報知が行われることにより、当該遊技機の周囲にいる遊技者の注目が集まる。これにより、当該遊技機での不正な遊技を効果的に防止することができる。
また、内枠１０２が開放されていることを優先的に報知するため、不正な遊技が行われていることをより確実に判別することができる。
また、内枠開放報知態様での報知あるいはガラス扉開放報知態様での報知を少なくとも設定期間行うように構成している。これにより、枠開閉検出器１０５あるいは扉開閉検出器１０６が不正に操作された場合でも、遊技店の係員等は、内枠１０２あるいはガラス扉１０４が開放されたことを確実に確認することができる。
なお、第２の設定期間と第３の設定期間として同じ期間を設定することもできる。また、前述した内枠開放報知態様での報知あるいはガラス扉開放報知態様での報知の開始時に設定期間を設定する方法と終了時に設定する方法は、それぞれ単独で用いることもできるし、組み合わせて用いることもできる。さらに、これらの方法は省略することもできる。
【００４５】
次に、第２の実施の形態を図６に示す。第１の実施の形態では、枠開閉検出信号および扉開閉検出信号、夜間監視制御回路１８１からの開放信号を専用の信号線を介して払出制御基板１４０から主制御基板１１０に伝送したが、本実施の形態では、共通の信号線を介して伝送している。
第２の実施の形態は、主制御基板２１０、払出制御基板２４０が第１の実施の形態の主制御基板１１０、払出制御基板１４０と異なっており、他の構成は同じである。
主制御基板２１０は、第1の実施の形態の主制御基板１１０の端子１１０ａ〜１１０ｅと同様の端子２１０ａ〜２１０ｅを有しているが、第１の実施の形態の主制御基板１１０の端子１１０ｆ〜１１０ｈに対応する端子は有していない。
払出制御基板２４０は、第1の実施の形態の払出制御基板１４０の端子１４０ａ〜１４０ｆと同様の端子２４０ａ〜２４０ｆを有しているが、第１の実施の形態の払出制御基板１４０の端子１４０ｇ、１４０ｈ、１４０ｊに対応する端子は有していない。なお、入力端子２４０ｃ、２４０ｄは、出力端子２４０ｅ、２４０ｆに接続されているとともに、払出制御回路２４１及び夜間監視制御基板２８０に接続されている。
【００４６】
夜間監視制御基板２８０は、第１の実施の形態の夜間監視制御回路１８０と同様の構成である。すなわち、夜間監視制御基板２８０に配設されている夜間監視制御回路２８１（図示省略）は夜間監視制御回路１８１と同様に動作する。
払出制御回路２４１は、入出力端子２４０ｂに入力された主コマンド信号と、記憶回路２４２に書き込まれている情報に基づいて、払出制御信号を出力端子２４０ａから払出装置１６３に出力し、主コマンド信号で示される数の遊技球を払出装置１６３から払い出す。
また、払出制御回路２４１は、夜間監視制御回路２８１から開放信号が入力されると、直前の電源遮断時（例えば、夜間）に内枠１０２あるいはガラス扉１０４が開放したことを示す開放情報を含むコマンド信号を、入出力端子２４０ｂから主制御回路２１１に出力する。
また、払出制御回路２４１は、枠開閉検出信号と扉開閉検出信号を入力し、内枠１０２の開閉状態及びガラス扉１０４の開閉状態を示す開閉情報を含むコマンド信号を、入出力端子２４０ｂから主制御回路２１１に出力する。払出制御回路２４１から主制御回路１１１に出力するコマンド信号の形式は、主制御回路２１１が、電源遮断時に内枠１０２あるいはガラス扉１０４が開放されたことや、電源供給時における内枠１０２及びガラス扉１０４の開閉状態を判別することができればよく、種々の形式を用いることができる。
主制御回路２１１は、入出力端子２１０ｅに入力されたコマンド信号に含まれている情報を判別し、判別した情報に基づいて、報知装置の報知態様を決定する。そして、前述した開放報知態様開始情報を含む主コマンド信号、内枠開放報知態様開始情報を含む主コマンド信号、内枠開放報知態様終了情報を含む主コマンド信号、ガラス扉開放報知態様開始情報を含む主コマンド信号、ガラス扉開放報知態様終了情報を含む主コマンド信号等を副制御回路１３１に出力する。
【００４７】
本実施の形態では、枠開閉検出信号と扉開閉検出信号を払出制御回路２４１に入力するとともに、夜間監視制御回路２８１からの開放信号を払出制御回路２４１に入力し、払出制御回路２４１から主制御回路２１１に、直前の電源遮断時に内枠１０２あるいはガラス扉１０４が開放されたこと、電源供給時における内枠１０２及びガラス扉１０４の開閉状態をコマンド信号の形態で伝送している。この場合、コマンド信号の信号径路としては、主コマンド信号を主制御回路２１１から払出制御回路２４１に伝送する信号経路（バス）を用いることができる。これにより、主制御基板２１０や払出制御基板２４０の端子の数を増加することなく、直前の電源遮断時に内枠１０２あるいはガラス扉１０４が開放されたことを示す開放信号を含むコマンド信号、電源供給時における内枠１０２及びガラス扉１０４の開閉状態を示す開閉信号を含むコマンド信号、すなわち、枠開閉検出信号及び扉開閉検出信号を主制御回路２１１に伝送することができる。
【００４８】
次に、第３の実施の形態を図７に示す。第１の実施の形態では、枠開閉検出信号および扉開閉検出信号を払出制御基板及び外部端子板を介して外部に出力したが、本実施の形態では、枠開閉検出信号および扉開閉検出信号を主制御基板及び外部端子板を介して外部に出力している。また、夜間監視制御基板３８０を主制御基板３１０に配設している。
第３の実施の形態は、主制御基板３１０、払出制御基板３４０が第１の実施の形態の主制御基板１１０、払出制御基板１４０と異なっており、他の構成は同じである。
払出制御基板３４０は、第１の実施の形態の払出制御基板１４０の端子１４０ａ、１４０ｂと同様の端子３４０ａ、３４０ｂが設けられているが、端子１４０ｃ〜１４０ｊに対応する端子は設けられていない。払出制御回路３４１は、第１の実施の形態の払出制御回路１４１と同様の処理を実行する。
主制御基板３１０は、第１の実施の形態の主制御基板１１０の端子１１０ａ〜１１０ｅと同様の端子３１０ａ〜３１０ｅが設けられているが、端子１１０ｆ〜１１０ｈに対応する端子は設けられてなく、また、端子３１０ｆ〜３１０ｊが設けられている。入力端子３１０ｆ、３１０ｇは、それぞれ、枠開閉検出器１０５、扉開閉検出器１０６に接続されている。また、入力端子３１０ｆ、３１０ｇは、出力端子３１０ｈ、３１０ｉに接続されているとともに、主制御回路３１１及び夜間監視制御基板３８０に接続されている。
夜間監視制御基板３８０は、第１の実施の形態の夜間監視制御回路１８０と同様の構成である。すなわち、夜間監視制御基板３８０に配設されている夜間監視制御回路３８１（図示省略）は夜間監視制御回路１８１と同様に動作する。
主制御回路３１１は、始動球検出信号や入賞球検出信号と、記憶回路３１２に記憶されている情報に基づいて、主コマンド信号を主制御信号として副制御回路１３１、払出制御回路３４１に出力する。
また、主制御回路３１１は、夜間監視制御回路３８１から内枠１０２あるいはガラス扉１０４が開放されたことを示す開放信号が入力されると、開放報知態様開始情報を含む主コマンド信号を、入力力端子３１０ｄを介して副制御回路１３１に出力する。
また、主制御回路３１１は、電源供給時に、入力端子３１０ｆ及び３１０ｇに入力された枠開閉検出信号及び扉開閉検出信号に基づいて、内枠１０２及びガラス扉１０４の開閉状態を判別する。そして、判別した内枠１０２及びガラス扉１０４の開閉状態に基づいて、内枠開放報知態様での報知の開始、内枠開放報知態様での報知の終了、ガラス扉開放報知態様での報知の開始、ガラス扉開放報知態様での報知の終了等を決定し、前述した開放報知態様開始情報を含む主コマンド信号、内枠開放報知態様開始情報を含む主コマンド信号、内枠開放報知態様終了情報を含む主コマンド信号、ガラス扉開放報知態様開始情報を含む主コマンド信号、ガラス扉開放報知態様終了情報を含む主コマンド信号等を副制御回路１３１に出力する。
【００４９】
次に、第４の実施の形態を図８に示す。第３の実施の形態では、枠開閉検出信号および扉開閉検出信号を主制御基板及び外部端子板を介して外部に出力したが、本実施の形態では、枠開閉検出信号および扉開閉検出信号を副制御基板及び外部端子板を介して外部に出力している。
第４の実施の形態は、主制御基板２１０、副制御基板４３０が第３の実施の形態の主制御基板２１０、副制御基板１３０と異なっており、他の構成は同じである。
主制御基板２１０は、第２の実施の形態の主制御基板２１０と同様の構成であり、第２の実施の形態の主制御基板２１０の端子２１０ａ〜２１０ｅと同様の端子２１０ａ〜２１０ｅが設けられている。
主制御回路２１１は、始動球検出信号や入賞球検出信号と、記憶回路２１２に記憶されている情報に基づいて、主コマンド信号を主制御信号として副制御回路４３１、払出制御回路３４１に出力する。
副制御基板４３０は、第３の実施の形態の副制御基板１３０の端子１３０ａ〜１１０ｄと同様の端子４３０ａ〜４３０ｄが設けられ、また、端子４３０ｅ〜４３０ｉが設けられている。入力端子４３０ｅ、４３０ｆは、それぞれ、枠開閉検出器１０５、扉開閉検出器１０６が接続されている。また、入力端子４３０ｅ、４３０ｆは、それぞれ、出力端子４３０ｇ、４３０ｈに接続されているとともに、副制御回路４３１及び夜間監視制御基板４８０に接続されている。
夜間監視制御基板４８０は、第１の実施の形態の夜間監視制御回路１８０と同様の構成である。すなわち、夜間監視制御基板４８０に配設されている夜間監視制御回路４８１（図示省略）は夜間監視制御回路１８１と同様に動作する。
副制御回路４３１は、入力端子４３０ｄに入力された主コマンド信号と記憶回路４３２に記憶されている情報に基づいて、ＶＤＰ４３３、音源ＩＣ４３４、ランプ１６５等に副制御信号を出力する。
また、副制御回路３３１は、夜間監視制御回路４８１から内枠１０２あるいはガラス扉１０４が開放されたことを示す開放信号が入力されると、報知装置を開放報知態様で動作させる。
また、副制御回路４３１は、電源供給時に、入力端子４３０ｅ及び４３０ｆに入力された枠開閉検出信号及び扉開閉検出信号に基づいて、内枠１０２及びガラス扉１０４の開閉状態を判別し、判別した内枠１０２及びガラス扉１０４の開閉状態に基づいて、内枠開放報知態様での報知の開始、内枠開放報知態様での報知の終了、ガラス扉開放報知態様での報知の開始、ガラス扉開放報知態様での報知の終了を決定する。そして、報知装置を、内枠開放報知態様あるいはガラス扉開放報知態様で動作させる。内枠開放報知態様での報知の開始、内枠開放報知態様での報知の終了、ガラス扉開放報知態様での報知の開始、ガラス扉開放報知態様での報知の終了を決定する方法としては、前述した方法を用いることができる。
【００５０】
第４の実施の形態では、報知装置を制御する副制御回路４３１が配設されている副制御基板４３０の入力端子に枠開閉検出器１０５及び扉開閉検出器１０６を接続しているため、払出制御基板や主制御基板を取り替える必要がない。
【００５１】
以上の実施の形態では、払出制御基板、主制御基板、複制御基板に夜間監視制御回路（夜間監視制御回路が配設されている夜間監視制御基板）を配設し、電源基板に配設されている停電回路２０１からの停電信号を、払出制御基板、主制御基板、複制御基板の入力端子を介して夜間監視制御回路に入力している。
この場合、停止信号が入力される各制御基板の入力端子から不正な信号が入力されると、夜間監視制御回路が記憶している開放信号が消去される（例えば、内枠開放フラグやガラス扉開放フラグあるいは開放フラグがリセットされる）虞がある。夜間監視制御回路が記憶している開放信号が消去されると、次に電源回路２０１から電源が供給された時に開放報知態様での報知が行われず、遊技店の係員等は、直前の電源遮断時に内枠１０２あるいはガラス扉１０４が開放されたことを判別することができない。
入力端子を介した不正な信号によって夜間監視制御回路に記憶されている開放信号が消去されるのを防止することができる第５の実施の形態の図９に示す。
【００５２】
図９に示す第５の実施の形態は、図２に示した第１の実施の形態を変更したものである。
本実施の形態では、停電検出回路１４３が払出制御基板１４０に配設されている。停電検出回路１４３は、電源回路２０１から払出制御基板１４０に供給されるＤＣ１２Ｖ電源（あるいはＤＣ３４Ｖ電源）の電圧に基づいて停電信号を出力する。例えば、ＤＣ１２Ｖ電源の電圧が立ち上がり電圧に達すると電源回路２０１から電源が供給されることを示し（例えば、「Ｈ」レベル）、ＤＣ１２Ｖ電源の電圧が立ち下がり電圧未満になると電源回路２０１からの電源の供給が停止されることを示す（例えば、「Ｌ」レベル）停電信号を出力する。
停電検出回路１４３からの停電信号は、夜間監視制御回路１８１に出力されるとともに、払出制御基板１４０の出力端子１４０ｋを介して、前述した停電処理を実行する制御回路（例えば、主制御回路１１１）に出力される。
通常、主制御基板１１０や払出制御基板１４０は、不正（例えば、不正な回路の配設や不正な回路への交換）を防止するために、封印構造の基板ボックス（基板容器）内に収容される。
本実施の形態では、停電検出回路１４３と夜間監視制御基板１８０が払出制御基板１４０に配設されているため、払出制御基板１４０、したがって、停電検出回路１４３と夜間監視制御回路１８１（夜間監視制御回路１８１が配設されている夜間監視制御基板１８０）は、封印構造の基板ボックス（基板容器）内に収容される。基板ボックスの封印構造としては公知の種々の封印構造を用いることができる。
これにより、停電検出回路１４３から夜間監視制御回路１８１に停電信号を出力する端子を介して不正な信号が夜間監視制御回路１８１に入力されるのを防止することができる。したがって、電源遮断時に内枠１０２あるいはガラス扉１０４が開放されたことを確実に報知することができる。
他の構成は、図２に示した第１の実施の形態と同様である。
なお、停電検出回路と夜間監視制御基板を主制御基板や副制御基板に配設する場合も同様に構成される。
【００５３】
以上の実施の形態では、枠開閉検出器１０５や扉開閉検出器１０６の検出信号は、払出制御基板、主制御基板、副制御基板と外部端子坂を介して、パチンコ機１００の外部（例えば、ホールコンピュータ等の管理回路）に出力されている。枠開閉検出器１０５や扉開閉検出器１０６は、接続線を介して払出制御基板、主制御基板、副制御基板に接続される。この場合、他の電子部品から発生した電磁波や遊技球の摺動によって発生した静電気等のノイズがこの接続線に乗って払出制御基板、主制御基板、副制御基板に進入し、このノイズによって、払出制御基板、主制御基板、副制御基板に配設されているＣＰＵ等が誤動作する虞がある。ノイズが接続線を介して払出制御基板、主制御基板、副制御基板に進入するのを防止するには、接続線の長さを短くするのが好ましい。しかしながら、接続線の長さを短くするには限界がある。
そこで、接続線を介して進入するノイズによる影響を低減することができる第６の実施の形態を図１０に示す。図１０は、外枠１０１に対する内枠１０２の開閉状態を検出する枠開閉検出器１０５の枠開閉検出信号を、払出制御基板１４０及び外部端子坂１５０を介して、遊技機１００の外部（例えば、ホールコンピュータ）に出力する場合を示している。
なお、内枠１０２に対するガラス扉１０４の開閉状態を検出する扉開閉検出器１０６の扉開閉検出信号を、払出制御基板１４０及び外部端子坂１５０を介して、遊技機１００の外部に出力する場合にも同様の方法を用いることができる。
第６の実施の形態のノイズ除去技術は、他の実施の形態にも適用することができる。
【００５４】
枠開閉検出器１０５は、電源側端子（第１の固定接点）１０５ａ、アース側端子（第２の固定接点）１０５ｂ、電源側端子１０５ａとアース側端子１０５ｂとの接続及び遮断を行う可動片（可動接点）１０５ｃを有している。本実施の形態では、可動片１０５ｃは、外枠１０１に対して内枠１０２が閉じている時（閉状態の時）には、電源側端子１０５ａとアース側端子１０５ｂが接続され、開いている時（開状態の時）には、電源端子１０５ａとアース側端子１０５ｃが遮断されるように、可動片１０５ｃが移動する。
そして、枠開閉検出器１０５と払出制御基板１４０は、接続線１０５Ａ、１０５Ｂによって接続される。接続線（電源側検出線）１０５Ａは、枠開閉検出器１０５の電源側端子１０５ａと払出制御基板１４０の電源側入力端子１４０ｃ１との間に接続され、接続線（アース側検出線）１０５Ｂは、枠開閉検出器１０５のアース側端子１０５ｂと払出制御基板１４０のアース側入力端子１４０ｃ２との間に接続される。
【００５５】
払出制御基板１４０の電源側入力端子１４０ｃ１と電源側出力端子１４０ｅ１の間には、電源側配線パターン１４４Ａを介してノイズ除去用の第１の抵抗１４５Ａが接続されている。第１の抵抗１４５Ａは、電源側入力端子１４０ｃ１に近接した位置に配設されている。
また、払出制御基板１４０のアース側入力端子１４０ｃ２とアース（接地）Ｅとの間には、アース用配線パターン１４４Ｂを介してノイズ除去用の第２の抵抗１４５Ｃ、抵抗１４６ａ、１４６ｂが直列に接続されている。第２の抵抗１４５Ｃは、アース側入力端子１４０ｃ２に近接した位置に配設されている。
第１の抵抗１４５Ａおよび第２の抵抗１４５Ｃは、「ノイズ除去手段」に対応する。
さらに、電源ＶｃｃとアースＥとの間には、配線パターンを介して抵抗１４６ｃとトランジスタ１４６ｄが直列に接続されている。トランジスタ１４６ｄのベース端子は、抵抗１４６ａと１４６ｂの接続点に接続されている。抵抗１４６ｃとトランジスタ１４６ｄの接続点は、払出制御回路１４１に接続される。
電源側配線パターン１４４Ａ、アース側配線パターン１４４Ｂは、「接続回路」に対応する。
【００５６】
外部端子坂１５０には、フォトモスリレー１５１、１５２が配設されている。なお、フォトモスリレー１５１と１５２は同じ構成であるため、フォトモスリレー１５１について説明する。
フォトモスリレー１５１は、発光手段と受光手段を有している。本実施の形態では、発光手段として発光ダイオード１５１ａを用い、受光手段としてフォトトランジスタ１５１ｂが用いられている。なお、フォトトランジスタは、一般的には、フォトダイオードとトランジスタによって構成される。
発光ダイオード１５１ａは、Ｖｃｃ電源と電源側入力端子１５０ａ１との間に接続されている。
また、電源側出力端子１５０ｃ１とアース側出力端子１５０ｃ２の間には、フォトトランジスタ１５１ｂが接続されている。
そして、外部端子坂１５０の電源側入力端子１５０ａ１と払出制御基板１４０の電源側出力端子１４０ｅ１の間には、接続線（電源側出力線）１５０Ａが接続されている。
【００５７】
外部端子坂１５０の電源側出力端子１５０ｃ１及びアース側出力端子１５０ｃ２から出力される枠開閉検出信号は、枠開閉検出器１０５の動作状態に応じて以下のように変化する。
内枠１０２が閉じている時（閉状態の時）には、電源側固定接点１０３ａとアース側固定接点１０５ｂが遮断される（オフ状態となる）。このため、発光ダイオード１５１ａへの電圧の印加が停止し、発光ダイオード１５１ａは光を放射しない。したがって、フォトトランジスタ１５１ｂがオフ状態となり、電源側出力端子１５０ｃ１は、内枠１０２が閉状態にあることを示す開放状態となる。
一方、内枠１０２が開いている時(開状態の時)には、電源側固定接点１０３ａとアース側固定接点１０５ｂが接続される（オン状態となる）。これにより、発光ダイオード１５１ａに電圧が印加されるため、発光ダイオード１５１ａが光を放射する。この場合、フォトトランジスタ１５１ｂが、発光ダイオード１５１ａから放射される光を受光するためオン状態となる。したがって、電源側出力端子１５０ｃ１は、内枠１０２が開状態にあることを示すアース（接地）電位となる。
【００５８】
上記のように、本実施の形態では、払出制御基板１４０の電源側検出端子１４０ｃ１と電源側出力端子１４０ｅ１が、払出制御基板１４０上に配設されている電源側配線パターン１４４Ａおよびノイズ除去用の第１の抵抗１４５Ａを介して接続されている。そして、第１の抵抗１４５Ａは、電源側検出端子１４０ｃ１に近接した位置に配設されている。
また、払出制御基板１４０のアース側検出端子１４０ｃ２とアースの間には、アース側配線パターン１４４Ｂとノイズ除去用の第２の抵抗１４５Ｃが配設されている。そして、第２の抵抗１４５Ｃは、アース側検出端子１４０ｃ２に近接した位置に配設されている。
ここで、第１の抵抗１４５Ａと払出制御基板１４０に配設されている電源側配線パターン１４４Ａの浮遊容量とによって、また、第２の抵抗１４５Ｃと払出制御基板１４０に配設されているアース側配線パターン１４４Ｂの浮遊容量とによって、ノイズを除去するノイズ除去回路が形成される。
これにより、枠開閉検出器１０５と払出制御基板１４０との間に接続されている電源側検出線１０５Ａやアース側検出線１０５Ｂに乗ったノイズが払出制御基板１４０に進入することを抑制することができ、払出制御基板１４０に配設されているＣＰＵ等の誤動作を防止することができる。
特に，本実施の形態では、第１の抵抗１４５Ａおよび第２の抵抗１４５Ｃを払出制御基板１４０の電源側入力端子１４０ｃ１およびアース側入力端子１４０ｃ２に近接した位置、すなわち、払出制御基板１４０の入口に配置しているため、ノイズの進入をより効果的に抑制することができる。
本実施の形態の技術を用いることにより、ノイズの進入を気にすることなく配線することが可能となる。例えば、ノイズ発生源となり得る他の電気回路を回避するような態様で配線を行う必要がなくなる。これにより、配線設計や配線作業が容易となる。
【００５９】
通常、発光ダイオードを用いる場合には、発光ダイオードを流れる電流の大きさを制限するための電流制限用の抵抗が設けられる。
本実施の形態では、ノイズ除去用として払出制御基板１４０に配設されている第１の抵抗１４５Ａおよび第２の抵抗１４５Ｃを、フォトモスリレー１５１を構成する発光ダイオード１５１ａの電流制限用の抵抗として用いることができる。この場合には、第１の抵抗１４５Ａおよび第２の抵抗１４５Ｃを、ノイズ除去用および発光ダイオード１５１ａの電流制限用として兼用することができる。これにより、フォトモスリレー１５１の発光ダイオード１５１ａの電流制限用抵抗を省略でき、あるいは、電流制限用抵抗として抵抗値が小さい抵抗を用いることができる。
【００６０】
第６の実施の形態では、払出制御基板１４０の入力端子（電源側入力端子１４０ｃ１、アース側入力端子１４０ｃ２）に近接する位置にノイズ除去用の抵抗を設けたが、出力端子に近接する位置にもノイズ除去用の抵抗を設けることもできる。出力端子に近接する位置にもノイズ除去用の抵抗を設けた第７の実施の形態を図１１に示す。
本実施の形態では、払出制御基板１４０の電源側配線パターン１４４Ａに、電源側入力端子１４０ｃ１に近接する位置にノイズ除去用の第１の抵抗１４５Ａを設けているとともに、電源側出力端子１４０ｅ１に近接する位置にノイズ除去用の第３の抵抗１４５Ｂを設けている。すなわち、電源側配線パターン１４４Ａと電源側入力端子１４０ｅ１の間に、第３の抵抗１４５Ｂを設けている。その他の構成については、第６の実施の形態と同様である。
本実施の形態では、払出制御基板１４０の電源側配線パターン１４４Ａの電源側出力端子１４０ｅ１に近接した位置にノイズ除去用の第３の抵抗１４５Ｂが設けられているため、払出制御基板１４０と外部端子板１５０を接続する接続線（電源側出力線）１５０Ａに乗ったノイズが払出制御基板１４０に進入するのを抑制することができる。すなわち、本実施の形態では、電源側入力端子１４０ｃ１と電源側出力端子１４０ｅ１の両方に対して、ノイズの進入を抑制することができる。
【００６１】
第７の実施の形態では、電源側入力端子および電源側出力端子に近接する位置それぞれにノイズ除去用の抵抗を設けることによって電源側入力端子および電源側出力端子の両方からのノイズの進入を抑制したが、一つの抵抗によって電源側入力端子および電源側出力端子の両方からのノイズの進入を抑制することもできる。一つの抵抗によって電源側入力端子および電源側出力端子の両方からのノイズの進入を抑制することもできる第８の実施の形態を図１２に示す。
本実施の形態では、電源側入力端子１４０ｃ１と電源側出力端子１４０ｅ１を、互いに隣接するように近接して払出制御基板１４０に配設している。例えば、複数の入力端子を有する入力用コネクタと複数の出力端子を有する出力用コネクタを隣接して配設するとともに、入力用コネクタおよび出力用コネクタのそれぞれに設定される複数の端子のうち、最も近接した位置関係にある入力端子と出力端子を、それぞれ枠開閉検出器１０５（または扉開閉検出器１０６）の電源用入力端子と電源用出力端子として設定する。
本実施の形態では、電源側入力端子１４０ｃ１と電源側出力端子１４０ｅ１を接続する電源側配線パターン１４４Ａを短くすることができる。このため、１つの抵抗１４５Ａによって、電源側入力線１０５Ａおよび電源側出力線１５０Ａからのノイズの進入を抑制することが可能となり、合理的である。また、電源側配線パターン１４４Ａが短くなることで、ノイズの放射領域が少なくなり、電源側入力線１０５Ａおよび電源側出力線１５０Ａからノイズが払出制御基板１４０に進入したとしても、当該ノイズによるＣＰＵ等への影響を極力低減することができる。更には、電源側配線パターン１４４Ａが短くなることで、払出制御基板１４０にＣＰＵ等を配設する際に邪魔にならず、当該電気回路を容易に配設することが可能となる。
【００６２】
なお、第６〜第８の実施の形態では、外部端子板１５０側から払出制御基板１４０側へ電流が流れるように構成したが、払出制御基板１４０側から外部端子板１５０側へ電流が流れるように構成することもできる。この場合、発光ダイオード１５１ａは、電流が流れる方向が図１０〜図１２と逆になるように接続される。このような構成にすると、外部端子板接続線１５０が接地された場合に発光ダイオード１５１ａに過電流が流れないため、発光ダイオード１５１ａの損傷を防止することができる。
【００６３】
以上の実施の形態では、扉開閉検出信号がガラス扉１０４が閉状態にあることを示し、枠開閉検出信号が内枠１０２が開状態にあることを示した場合、あるいは、扉開閉検出信号がガラス扉１０４が開状態にあることを示し、枠開閉検出信号が内枠１０２が開状態にあることを示していることを判別した場合に、内枠開放報知態様の報知を行い、枠開閉検出信号が内枠１０２が閉状態にあることを示し、扉開閉検出信号がガラス扉１０４が開状態にあることを示していることを判別した場合に、ガラス扉開放報知態様の報知を行ったが、少なくとも、扉開閉検出信号がガラス扉１０４が閉状態にあることを示し、枠開閉検出信号が内枠１０２が開状態にあることを示していることを判別した場合に内枠開放報知態様の報知を行い、枠開閉検出信号が内枠１０２が閉状態にあることを示し、扉開閉検出信号がガラス扉１０４が開状態にあることを示していることを判別した場合にガラス扉開放報知態様の報知を行うものであればよい。また、扉開閉検出信号がガラス扉１０４が閉状態にあることを示し、枠開閉検出信号が内枠１０２が開状態にあることを示していることを判別した場合には内枠開放報知態様の報知を行い、枠開閉検出信号が内枠１０２が閉状態にあることを示し、扉開閉検出信号がガラス扉１０４が開状態にあることを示していることを判別した場合にはガラス扉開放報知態様を報知し、枠開閉検出信号が内枠１０２が開状態にあることを示し、扉開閉検出信号がガラス扉１０４が開状態にあることを示していることを判別した場合には内枠・ガラス扉開放報知態様の報知を行うように構成することもできる。
また、報知を開始する時の第２の設定期間、報知を終了する時の第３の設定期間は、各報知態様に対して同じ設定期間を設定することもできるし、各報知態様に対して異なる設定期間を設定することもできる。
【００６４】
また、枠開閉検出器１０５からの枠開閉検出信号や扉開閉検出器１０６からの扉開閉検出信号の状態を、電源回路２０１からの電源の供給が停止されている時及び電源回路２０１から電源が供給されている時に判別する方法としては適宜の方法を用いることができる。
例えば、枠開閉検出器１０５や扉開閉検出器１０６を、連動して動作する２つのスイッチにより構成し、一方のスイッチの動作状態を電源回路２０１から供給される電源を用いて判別し、他方のスイッチの動作状態をバックアップ用の電源を用いて判別するように構成する方法を用いることができる。あるいは、枠開閉検出器１０５や扉開閉検出器１０６を１つのスイッチにより構成し、スイッチの動作状態を電源回路２０１から供給される電源及びバックアップ用の電源を用いて判別可能に構成する方法を用いることができる。この場合には、電源回路２０１から供給される電源とバックアップ用の電源を逆流防止用のダイオードを介して並列に接続するのが好ましい。
【００６５】
本発明は、上記した実施の形態に限定されるものではなく、その要旨を逸脱しない範囲内で変更、追加、削除が可能である。
枠開閉検出器１０５や扉開閉検出器１０６としては、種々の形式の検出器を用いることができる。
実施の形態では、電源回路２０１からの電源の供給が停止している時（電源遮断時）に内枠１０２あるいはガラス扉１０４の開放を検出し、電源が供給される時に報知を行い、電源回路２０１から電源が供給されている時（電源供給時）には、内枠１０２及びガラス扉１０４の開閉状態に基づいて報知を行う遊技機として構成したが、本発明は、電源回路２０１からの電源の供給が停止している時（電源遮断時）に内枠１０２あるいはガラス扉１０４の開放を検出し、電源が供給される時に報知を行う遊技機、あるいは、電源回路２０１から電源が供給されている時（電源供給時）に、内枠１０２及びガラス扉１０４の開閉状態に基づいて報知を行う遊技機として構成することもできる。このような遊技機であっても、遊技店の係員等は、遊技機に対する不正に迅速、適切に対処することができる。
各実施の形態で用いている技術は、単独で用いることもできるし、複数を選択して組み合わせて用いることもできる。
本発明をパチンコ機として構成した場合について説明したが、本発明は、パチンコ機以外の種々の型式の遊技機として構成することができる。
【００６６】
本発明は、以下のように構成することもできる。
例えば、「（態様１）請求項１の遊技機であって、前記報知制御手段は、前記夜間監視制御手段から内枠あるいはガラス扉が開放されたことを示す開放信号が出力された場合には、前記報知手段を第１の設定期間動作させることを特徴とする遊技機。」として構成することができる。
【００６７】
本発明では、夜間監視制御手段から内枠あるいはガラス扉が開放されたことを示す開放信号から出力された場合には、第１の設定期間報知装置を動作させる。
夜間監視制御手段から内枠あるいはガラス扉が開放されたことを示す開放信号が出力される時点では、内枠及びガラス扉が開放されていない（閉じている）ことが考えられる。このため、夜間監視制御手段からの内枠あるいはガラス扉が開放されたことを示す開放信号の出力に応答して報知装置を動作させる場合には、報知装置の動作を終了させる条件を設定する必要がある。ここで、報知装置の動作を終了させる条件を設定する方法としてリセットスイッチを用いると、リセットスイッチが不正に操作される虞がある。そこで、発明では、夜間監視制御手段から内枠あるいはガラス扉が開放されたことを示す開放信号が出力された場合には、報知装置を第１の設定期間動作させる、すなわち、報知装置を動作させてから第１の設定期間経過すると報知装置の動作を終了させるように構成されている。第１の設定期間は、適宜設定される。
通常、電源供給手段から電源が供給されるのは、遊技店の営業開始時間前で、遊技客が遊技を行っていない時点である。このため、電源供給手段から電源の供給が開始されて、夜間監視制御手段から内枠あるいはガラス扉が開放されたことを示す開放信号が出力された場合に、報知装置を第１の設定期間の間動作させるように構成しても、遊技店の係員等は電源遮断時に内枠あるいはガラス扉が開放されたことを容易に判別することができる。
【００６８】
また、「（態様２）請求項１または態様１の遊技機であって、前記報知手段として、遊技機に設けられている遊技演出用の表示手段、音発生手段及び光発生手段のうちの少なくとも一つが用いられ、前記報知制御手段は、前記夜間監視制御手段から内枠あるいはガラス扉が開放されたことを示す開放信号が出力された場合には、前記報知手段を遊技演出態様と異なる開放報知態様で動作させることを特徴とする遊技機。」として構成することができる。
【００６９】
本発明では、報知手段として遊技演出用の表示手段、音発生手段、光発生手段のうちの少なくとも一つを用い、報知制御手段は、夜間監視制御手段から内枠あるいはガラス扉が開放されたことを示す開放信号が出力された場合には、報知手段を、遊技演出態様と異なる開放報知態様で動作させる。
遊技演出用に設けられている光発生手段を報知手段として用いる場合には、光発生手段の少なくとも一部を用いるのが好ましい。この場合、光発生手段を開放報知態様で動作させた時に、遊技者の遊技の妨げにならないように、報知手段として用いる光発生手段の配置位置、数、開放報知態様を選択するのが好ましい。例えば、遊技盤の隅に配置されている光発生手段や、所定位置に配置されている一つの光発生手段を選択する。
本発明では、報知手段を別途を設ける必要がない。また、遊技演出態様と異なる報知態様で動作させるため、遊技点の係員等は、遊技演出用の表示手段、音発生手段、光発生手段の報知態様を確認することによって、内枠やガラス扉が開放されたことを容易に判別することができる。
【００７０】
また、「（態様３）請求項１または態様１の遊技機であって、前記報知制御手段は、前記電源供給検出信号が電源が供給されることを示している時に、前記枠開閉検出信号が前記内枠が開状態にあることを示した場合あるいは前記扉開閉検出信号が前記ガラス扉が開状態にあることを示した場合に前記報知手段を動作させることを特徴とする遊技機。」として構成することができる。
【００７１】
本発明では、電源供給手段からの電源が供給されていない時に内枠あるいはガラス扉が開放された場合には、電源が供給された時に報知手段を動作させて報知を行い、電源が供給されている時に内枠あるいはガラス扉が開放された場合には、直ちに報知手段を動作させて報知を行う。
これにより、電源が供給されていない夜間に内枠あるいはガラス扉が開放されたこと、また、電源が供給されている営業時間内に内枠あるいはガラス扉が開放されたことを
適切に報知することができる。
【００７２】
また、「（態様４）態様３の遊技機であって、
前記報知手段として、遊技機に設けられている遊技演出用の表示手段、音発生手段及び光発生手段のうちの少なくとも一つが用いられ、
前記報知制御手段は、
前記夜間監視制御手段から内枠あるいはガラス扉が開放されたことを示す開放信号が出力された場合には、前記報知手段を、遊技演出態様と異なる開放報知態様で動作させ、
前記電源供給検出信号が電源が供給されることを示している時に、前記扉開閉検出信号が前記ガラス扉が閉状態にあることを示し、前記枠開閉検出信号が前記内枠が開状態にあることを示した場合には、前記報知手段を、遊技演出態様及び開放報知態様と異なる内枠開放報知態様で動作させ、
前記電源供給検出信号が電源が供給されることを示している時に、前記枠開閉検出信号が前記内枠が閉状態にあることを示し、前記扉開閉検出信号が前記ガラス扉が開状態にあることを示した場合には、前記報知手段を、遊技演出態様、開放報知態様及び内枠開放報知態様と異なるガラス扉開放報知態様で動作させる、
ことを特徴とする遊技機。」として構成することができる。
【００７３】
本発明では、遊技演出用の表示手段、光発生手段、音発生手段のうちの少なくとも一つを報知手段として用いる。そして、電源の供給が停止している時に内枠あるいはガラス扉が開放された場合には、電源の供給が開始された時に、報知手段を、遊技演出態様と異なる開放報知態様で動作させる。また、電源を供給している時に、ガラス扉が閉状態にあり、内枠が開状態にある場合には、報知手段を、遊技演出態様及び開放報知態様と異なる内枠開放報知態様で動作させる。また、電源を供給している時に、内枠が閉状態にあり、ガラス扉が開状態にある場合には、報知手段を、遊技演出態様、開放報知態様及び内枠開放報知態様と異なるガラス扉開放報知態様で動作させる。
遊技演出用に設けられている光発生手段を報知手段として用いる場合には、光発生手段の少なくとも一部を用いるのが好ましい。
本発明では、報知手段を各状態において異なる態様で動作させるため、遊技店の係員等は、報知手段の報知態様を確認することにより、各状態を容易に、迅速に判別することができる。したがって、各状態に応じて適切な処理を選択することができる。
【００７４】
また、「（態様５）態様４の遊技機であって、
前記報知制御手段は、
前記電源供給検出信号が電源が供給されることを示している時に、前記扉開閉検出信号が前記ガラス扉が閉状態にあることを示し、前記枠開閉検出信号が前記内枠が開状態にあることを示している間、前記報知手段を内枠開放報知態様で動作させ、
前記電源供給検出信号が電源が供給されることを示している時に、前記枠開閉検出信号が前記内枠が閉状態にあることを示し、前記扉開閉検出信号が前記ガラス扉が開状態にあることを示している間、前記報知手段をガラス扉開放報知態様で動作させる、
ことを特徴とする遊技機。」として構成することができる。
【００７５】
本発明では、電源が供給されている時には、ガラス扉が閉状態にあり、内枠が開状態にある間、報知手段を内枠開放報知態様で動作させ、内枠が閉状態にあり、ガラス扉が開状態にある間、報知手段をガラス扉開放報知態様で動作させる。
本発明では、遊技機に設けられている報知手段の報知態様を確認することによって、内枠が開放されていることあるいはガラス扉が開放されていることを容易に判別することができる。これにより、遊技店の係員等は、各状態に対応した適切な処理を実行することができる。
【００７６】
また、「（態様６）態様４の遊技機であって、前記報知制御手段は、前記電源供給検出信号が電源が供給されることを示している時に、前記扉開閉検出信号が前記ガラス扉が開状態にあることを示し、前記枠開閉検出信号が前記内枠が開状態にあることを示した場合には、前記報知手段を内枠開放報知態様で動作させることを特徴とする遊技機。」として構成することができる。
【００７７】
本発明では、電源が供給されている時に、ガラス扉が閉状態にあり、内枠が開状態にある場合、あるいは、ガラス扉が開状態にあり、内枠が開状態にある場合には、報知手段を内枠開放報知態様で動作させ、内枠が閉状態にあり、ガラス扉が開状態にある場合には、報知手段をガラス扉開放報知態様で動作させる。
本発明では、電源が供給されている時には、内枠が開放されていることを優先的に報知するため、遊技店の係員等は適切な処理をより容易に選択することができる。
【００７８】
また、「（態様７）態様６の遊技機であって、
前記報知制御手段は、
前記電源供給検出信号が電源が供給されることを示している時に、前記扉開閉検出信号が前記ガラス扉が閉状態にあることを示し、前記枠開閉検出信号が前記内枠が開状態にあることを示している間、あるいは、前記電源供給検出信号が電源が供給されることを示している時に、前記扉開閉検出信号が前記ガラス扉が開状態にあることを示し、前記枠開閉検出信号が前記内枠が開状態にあることを示している間、前記報知手段を内枠開放報知態様で動作させ、
前記電源供給検出信号が電源が供給されることを示している時に、前記枠開閉検出信号が前記内枠が閉状態にあることを示し、前記扉開閉検出信号が前記ガラス扉が開状態にあることを示している間、前記報知手段をガラス扉開放報知態様で動作させる、
ことを特徴とする遊技機。」として構成することができる。
【００７９】
本発明では、電源が供給されている時には、ガラス扉が閉状態にあり、内枠が開状態にある間、あるいは、ガラス扉が開状態にあり、内枠が開状態にある間、報知手段を内枠開放報知態様で動作させ、内枠が閉状態にあり、ガラス扉が開状態にある間、報知手段をガラス扉開放報知態様で動作させる。
本発明では、遊技機に設けられている報知手段の報知態様を確認することによって、内枠が開放されていること、ガラス扉のみが開放されていることを判別することができる。
これにより、遊技店の係員等は、内枠が開放されている時及びガラス扉のみが開放されている時に対応した適切な諸入りを選択することができる。
【００８０】
また、「（態様８）態様４の遊技機であって、前記報知制御手段は、前記扉開閉検出信号が前記ガラス扉が開状態にあることを示し、前記枠開閉検出信号が前記内枠が開状態にあることを示した場合には、前記報知手段を、遊技演出態様、開放報知態様、内枠開放報知態様及びガラス扉開放報知態様と異なる内枠・ガラス扉開放報知態様で動作させることを特徴とする遊技機。」として構成することができる。
【００８１】
本発明では、電源が供給されている時に、ガラス扉が閉状態にあり、内枠が開状態にある場合には、報知手段を内枠開放報知態様で動作させ、内枠が閉状態にあり、ガラス扉が開状態にある場合には、報知手段をガラス扉開放報知態様で動作させ、内枠及びガラス扉が開状態にある場合には、報知手段を内枠・ガラス扉開放報知態様で動作させる。なお、報知の優先順位は、内枠開放報知態様の報知、内枠・ガラス扉開放報知態様の報知、ガラス扉開放報知態様の報知の順に設定するのが好ましい。
本実施の形態では、遊技機に設けられている報知装置の報知を確認することによって、遊技機の内枠やガラス扉の開閉状態を容易に判別することができる。
【００８２】
また、「（態様９）態様８の遊技機であって、
前記報知制御手段は、
前記電源供給検出信号が電源が供給されることを示している時に、前記扉開閉検出信号が前記ガラス扉が閉状態にあることを示し、前記枠開閉検出信号が前記内枠が開状態にあることを示している間、前記報知手段を内枠開放報知態様で動作させ、
前記電源供給検出信号が電源が供給されることを示している時に、前記枠開閉検出信号が前記内枠が閉状態にあることを示し、前記扉開閉検出信号が前記ガラス扉が開状態にあることを示している間、前記報知手段をガラス扉開放報知態様で動作させ、
前記電源供給検出信号が電源が供給されることを示している時に、前記扉開閉検出信号が前記ガラス扉が開状態にあることを示し、前記枠開閉検出信号が前記内枠が開状態にあることを示している間、前記報知手段を内枠・ガラス扉開放報知態様で動作させる、
ことを特徴とする遊技機。」として構成することができる。
【００８３】
本発明では、電源が供給されている時には、ガラス扉が閉状態にあり、内枠が開状態にある間、報知手段を内枠開放報知態様で動作させ、内枠が閉状態にあり、ガラス扉が開状態にある間、報知手段をガラス扉開放報知態様で動作させ、内枠及びガラス扉が開状態にある間、報知手段を内枠・ガラス扉開放報知態様で動作させる。
本発明では、遊技機に設けられている報知装置の報知態様を確認することによって、内枠のみが開放されていること、ガラス扉のみが開放されていること、内枠及びガラス扉が開放されていることを容易に判別することができる。これにより、遊技店の係員等は、遊技機の状態に対応した適切な処理を選択することができる。
【００８４】
また、「（態様１０）態様４〜９のいずれかの遊技機であって、前記報知制御手段は、前記報知手段を前記内枠開放報知態様あるいは前記ガラス扉開放報知態様あるいは前記内枠・ガラス扉開放報知態様で動作させることを開始する場合には、前記報知手段を前記内枠開放報知態様あるいは前記ガラス扉開放報知態様あるいは前記内枠・ガラス扉開放報知態様で動作させることを開始する時点から少なくとも第２の設定期間の間前記報知手段を前記内枠開放報知態様あるいは前記ガラス扉開放報知態様あるいは前記内枠・ガラス扉開放報知態様で動作させることを特徴とする遊技機。」として構成することができる。
【００８５】
電源が供給されている時に、内枠あるいはガラス扉を開けた後、直ちに枠開閉検出器あるいは扉開閉検出器が不正に操作されると、報知装置による報知が行われないか、短時間しか行われない虞がある。
本発明では、報知制御手段は、報知手段を内枠開放報知態様あるいはガラス扉開放報知態様あるいは内枠・ガラス扉開放報知態様で動作させる場合には、少なくとも第２の設定期間の間、報知手段を動作させる。第２の設定期間は、遊技点の係員等が報知手段の報知態様を確認することができる適宜の期間に設定される。
本発明では、内枠あるいはガラス扉を開けた後、直ちに枠開閉検出器あるいは扉開閉検出器が不正に操作された場合でも、少なくとも第２の設定期間の間は報知手段による報知が行われるため、遊技店の係員等は、報知装置による報知を確実に確認することができる。
【００８６】
また、「（態様１１）態様４〜１０のいずれかの遊技機であって、前記報知制御手段は、前記報知手段を前記内枠開放報知態様あるいは前記ガラス扉開放報知態様あるいは前記内枠・ガラス扉開放報知態様で動作させることを終了する場合には、前記報知手段を前記内枠開放報知態様あるいは前記ガラス扉開放報知態様あるいは前記内枠・ガラス扉開放報知態様での動作を終了する時点から第３の設定期間の間前記報知手段を前記内枠開放報知態様あるいは前記ガラス扉開放報知態様あるいは前記内枠・ガラス扉開放報知態様で動作させた後に終了させることを特徴とする遊技機。」として構成することができる。
【００８７】
電源が供給されている時に、内枠あるいはガラス扉を開けた後、直ちに枠開閉検出器あるいは扉開閉検出器が不正に操作された場合には、報知装置による報知が行われないか、短時間しか行われない虞がある。
本発明では、報知制御手段は、報知手段を内枠開放報知態様あるいはガラス扉開放報知態様あるいは内枠・ガラス扉開放報知態様で動作させることを終了する場合には、終了時点から第３の設定期間の間動作を継続させた後に（第３の設定期間延長させて）終了させる。第３の設定期間は、遊技点の係員等が報知手段の報知態様を確認することができる適宜の期間に設定される。
これにより、内枠あるいはガラス扉を開けた後、直ちに枠開閉検出器あるいは扉開閉検出器が不正に操作された場合でも、第３の設定期間の間報知手段による報知が継続されるため、遊技店の係員等は、報知装置による報知を確実に確認することができる。
【００８８】
また、「（態様１２）請求項１、態様１〜１１のいずれかの遊技機であって、遊技演出用の光発生手段と、前記遊技演出用の光発生手段を制御する光発生手段制御手段を備え、前記報知手段として、前記光発生手段の少なくとも一部分が用いられ、前記報知制御手段として前記光発生手段制御手段が用いられていることを特徴とする遊技機。」として構成することができる。
【００８９】
本発明では、報知手段として、遊技機に設けられている遊技演出用の光発生手段の少なくとも一部分を用い、報知制御手段として、光発生手段制御手段を用いている。
「光発生手段の少なくとも一部分を報知手段として用いる」態様には、「１つの光発生手段を報知手段として用いる」態様が包含される。
本発明では、追加の装置を必要とせずに報知を行うことができる。また、遊技演出用の光発生手段の一部分を報知手段として用いる場合には、遊技者の遊技を妨げることなく、内枠やガラス扉が開放されていることを報知することができる。
【００９０】
また、「（態様１３）請求項１、態様１〜１２のいずれかの遊技機であって、前記夜間監視制御手段と前記電源供給状態検出手段は、同じ制御基板に配設されており、前記制御基板は、封印構造を有する基板容器内に収容されていることを特徴とする遊技機。」として構成することができる。
【００９１】
本発明では、夜間監視制御手段と電源供給状態検出手段は、封印構造を有する基板容器内に収容される制御基板に配設されている。基板容器の封印構造としては、公知の種々の封印構造を用いることができる。また、制御基板としては、他の制御手段が配設されている制御基板、例えば、払出制御基板、主制御基板、副制御基板等を兼用することができる。なお、電源遮断時に夜間監視制御手段に電源を供給するバックアップ電源も、夜間監視制御手段とともに制御基板に配設するのが好ましい。
本発明では、電源供給状態検出手段を、夜間監視制御手段とともに、封印構造を有する基板容器内に収容される制御基板に配設しているため、夜間監視制御手段と電源供給検出信号との間の信号経路を介して不正な信号が夜間監視制御手段に入力されるのを（夜間監視制御手段に対する不正操作を）防止することができる。これにより、電源遮断時に内枠あるいはガラス扉が開放されたことを確実に報知することができる。なお、電源遮断時に夜間監視制御手段に電源を供給するバックアップ電源も夜間監視制御基板とともに制御基板に配設することにより、夜間監視制御手段に対する不正操作をより確実に防止することができる。
【００９２】
また、「（態様１４）請求項１、態様１〜１３のいずれかの遊技機であって、
遊技用機器と、前記遊技用機器を制御する制御手段と、前記制御手段及び前記夜間監視制御手段が配設されている制御基板と、前記枠開閉検出信号及び前記扉開閉検出信号を外部に出力する外部端子板を備え、
前記枠開閉検出手段は、枠開閉検出信号を出力する第１の端子と第２の端子を有し、
前記扉開閉検出手段は、扉開閉検出信号を出力する第１の端子と第２の端子を有し、
前記外部端子板は、第１の入力端子と第２の入力端子を有し、
前記制御基板は、前記枠開閉検出手段の第１の端子、第２の端子それぞれに接続される第１の入力端子、第２の入力端子と、前記扉開閉検出手段の第１の端子、第２の端子それぞれに接続される第３の入力端子、第４の入力端子と、前記外部端子板の第１の入力端子、第２の入力端子それぞれに接続される第１の出力端子、第２の出力端子と、前記第１の入力端子と前記第１の出力端子を接続する第１の電源側配線パターンと、前記第２の入力端子とアースを接続する第１のアース側配線パターンと、前記第３の入力端子と前記第２の出力端子を接続する第２の電源側配線パターンと、前記第４の入力端子とアースを接続する第２のアース側配線パターンと、前記第１の電源側配線パターンの前記第１の入力端子に近接した位置あるいは前記第１の出力端子に近接した位置の少なくとも一方に設けられた第１のノイズ除去手段と、前記第１のアース側配線パターンの前記第２の入力端子に近接した位置に設けられた第２のノイズ除去手段と、前記第２の電源側配線パターンの前記第３の入力端子に近接した位置あるいは前記第２の出力端子に近接した位置の少なくとも一方に設けられた第３のノイズ除去手段と、前記第２のアース側配線パターンの前記第４の入力端子に近接した位置に設けられた第４のノイズ除去手段を有している、
ことを特徴とする遊技機。」として構成することができる。
【００９３】
本発明では、枠開閉検出信号及び扉開閉検出信号を制御基板を介して外部端子坂に出力する場合に、制御基板に設けられている、入力端子と出力端子を接続する電源側配線パターンの入力端子に近接する位置あるいは出力端子に近接する位置の少なくとも一方、アース側配線パターンの入力端子に近接する位置にノイズ除去手段を設けている。
これにより、制御基板に配設されている電源側配線パターンあるいはアース側配線パターンに入力端子側あるいは出力端子側からノイズが進入するのを防止することができる。
【図面の簡単な説明】
【００９４】
【図１】パチンコ機の全体を示す斜視図である。
【図２】第１の実施の形態の制御系の概略ブロック図である。
【図３】第１の実施の形態の電源系の概略ブロック図である。
【図４】夜間監視制御基板の一実施の形態を示す図である。
【図５】第１の実施の形態の内枠・ガラス扉開放監視制御動作を説明するフローチャートである。
【図６】第２の実施の形態の概略ブロック図である。
【図７】第３の実施の形態の概略ブロック図である。
【図８】第４の実施の形態の概略ブロック図である。
【図９】第５の実施の形態の制御系の概略ブロック図である。
【図１０】第６の実施の形態の要部ブロック図である。
【図１１】第７の実施の形態の要部ブロック図である。
【図１２】第８の実施の形態の要部ブロック図である。
【符号の説明】
【００９５】
１００  パチンコ機
１０１  外枠（支持部）
１０２  内枠（第１の開閉部）
１０３  遊技盤
１０４  ガラス扉（第２の開閉部）
１０５  扉開閉検出器（扉開閉検出手段）
１０５ａ  電源側端子（第１固定端子）
１０５ｂ  アース側端子（第２固定端子）
１０５ｃ  可動片（可動端子）
１０５Ａ、１０５Ｂ  接続線
１０６  枠開閉検出器（枠開閉検出手段）
１０７  始動球検出器（始動球検出手段）
１０８  入賞球検出器（入賞球検出手段）
１１０、２１０、３１０主制御基板
１１０ａ〜１１０ｈ、１３０ａ〜１３０ｄ、１４０ａ〜１４０ｋ、１４０ｃ１、１４０ｃ２、１４０ｅ１、１５０ａ〜１５０ｄ、１５０ａ１、１５０ｃ１、１５０ｃ２、１８０ａ〜１８０ｅ、２１０ａ〜２１０ｅ、２４０ａ〜２４０ｇ、３１０ａ〜３１０ｊ、３４０ａ、３４０ｂ、４３０ａ〜４１０ｉ  端子
１１２、１３２、１４２、１８２、２１２、２４２、３１２、３４２、４３２  記憶回路
１１１、２１１、３１１  主制御回路（主制御手段）
１１８、１３８、１４８、１８８  電圧変換回路（電圧変換手段）
１２０  中継端子板
１３０、５３０  副制御基板
１３１、４３１  副制御回路（副制御手段）
１３３、４３３  音源ＩＣ
１３４、４３４  ＶＤＰ
１４０、２４０、３４０  払出制御基板
１４１、２４１、３４１  払出制御回路（払出制御手段）
１４３、２０２  停電検出回路（電源供給検出手段）
１４５Ａ、１４５Ｂ、１４５Ｃ  抵抗（ノイズ除去手段）
１４６ａ〜１４６ｃ  抵抗
１４６ｄ  トランジスタ
１５０  外部端子板
１５１、１５２  フォトモスリレー
１５１ａ  発光ダイオード
１５１ｂ  フォトトランジスタ
１６１  特別図柄表示装置（特別図柄表示手段）
１６２  装飾図柄表示装置（装飾図柄表示手段）
１６３  払出装置（払出手段）
１６４  スピーカ（音発生手段）
１６５  ランプ（ＬＥＤ）（光発生手段）
１８０  夜間監視制御基板
１８１  夜間監視制御回路（夜間監視制御手段）
１８４  ダイオード
１８５  バックアップ電源
２００  電源基板
２０１  電源回路（電源供給手段）
【図１】
2008142135.tif 000003
【図２】
2008142135.tif 000004
【図３】
2008142135.tif 000005
【図４】
2008142135.tif 000006
【図５】
2008142135.tif 000007
【図６】
2008142135.tif 000008
【図７】
2008142135.tif 000009
【図８】
2008142135.tif 000010
【図９】
2008142135.tif 000011
【図１０】
2008142135.tif 000012
【図１１】
2008142135.tif 000013
【図１２】
2008142135.tif 000014